(57)【要約】      （修正有）【課題】無線通信システム内のアップリンク（ＵＬ）多重入力多重出力（ＭＩＭＯ）通信のための制御およびデータ多重化を容易にするシステムおよび方法を提供する。【解決手段】無線通信システムにおいてアップリンクＭＩＭＯ通信を行うデバイスは、アップリンク伝送に関連付けられた（例えば、空間層やコードワードなどに対応する）複数の層のうちの１又は複数にわたって、制御シグナリングおよびデータを多重化する。制御シグナリングをスケジューリングするための伝送の層を選択することと、選択された層にスケジューリングされた制御シグナリングに適用するためのオフセットを選択する。更に、アクノレッジメント通信の効率を高めるために多層伝送を活用する。更に、アップリンク多層伝送におけるデータに結合された制御シグナリングに適用するための変調および符号化スキーム（ＭＣＳ）を選択する。【選択図】図１
2017005703.tif 000002
【特許請求の範囲】
【請求項１】
１又は複数のネットワーク・エンティティに送信される制御情報を識別することと、
アップリンク多入力多出力（ＭＩＭＯ）伝送のために指定された層のセットに関する情報を取得することと、
前記層のセットから、前記制御情報の少なくとも一部のアップリンクＭＩＭＯ伝送をスケジューリングするための、それぞれの層を選択することとを備える方法。
【請求項２】
前記選択することは、前記制御情報の少なくとも一部のアップリンクＭＩＭＯ伝送をスケジューリングするための、前記層のセットにおける全ての層よりも少ない層のサブセットを選択することを備える請求項１記載の方法。
【請求項３】
前記選択することは、
前記制御情報と、前記層のセットにおけるそれぞれの層によって達成可能なそれぞれの品質レベルとに関連付けられた品質しきい値を識別することと、
前記制御情報と、前記層のセットにおけるそれぞれの層によって達成可能なそれぞれの品質レベルとに関連付けられた品質しきい値に従って、前記層のセットにおける全ての層よりも少ない層のサブセットを選択することとを備える請求項２記載の方法。
【請求項４】
前記選択することは更に、
前記層のセットにおける前記層のうちで、最も低い符号レートあるいは変調次数を有していると決定された、前記層のセットにおけるそれぞれの層を含む層の候補サブセットを識別することと、
前記制御情報の少なくとも一部のアップリンクＭＩＭＯ伝送をスケジューリングするための、前記層の候補サブセットにおける１又は複数の層を選択することとを備える請求項２記載の方法。
【請求項５】
前記選択することは更に、
前記層のセットにおける層のうちで、最も高い符号レートあるいは変調次数を有していると決定された、前記層のセットにおけるそれぞれの層を含む層の候補サブセットを識別することと、
前記制御情報の少なくとも一部のアップリンクＭＩＭＯ伝送をスケジューリングするための、前記層の候補サブセットにおける１又は複数の層を選択することとを備える請求項２記載の方法。
【請求項６】
前記層のセットにおける全ての層よりも少ない層のサブセットは、１つの層を備える請求項２記載の方法。
【請求項７】
前記選択することは、前記制御情報の少なくとも一部のアップリンクＭＩＭＯ伝送をスケジューリングするための、前記層のセットにおける実質的に全ての層を選択することを備える請求項１記載の方法。
【請求項８】
前記層のセットにおけるそれぞれの層での伝送のためにスケジューリングされた制御情報に、それぞれのオフセットを適用することを更に備える請求項１記載の方法。
【請求項９】
前記適用することは、前記層のセットにおけるそれぞれの層での伝送のためにスケジューリングされた制御情報の少なくとも一部に、層に依存しないオフセットを適用することを備える請求項８記載の方法。
【請求項１０】
前記適用することは、
前記層のセットにおけるそれぞれの層での伝送のためにスケジューリングされた制御情報の少なくとも一部に、それぞれの可変オフセットを適用することと、
前記制御情報の伝送がスケジューリングされたそれぞれの層の少なくとも１つの特性と、前記制御情報の伝送がスケジューリングされた層の数とに基づいて、前記それぞれの可変オフセットのための値を決定することとを備える請求項８記載の方法。
【請求項１１】
前記制御情報は、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットを備え、
前記選択することは、前記１又は複数のＡＣＫ／ＮＡＣＫビットを一緒に符号化することと、前記層のセットから、前記１又は複数のＡＣＫ／ＮＡＣＫビットのアップリンクＭＩＭＯ伝送をスケジューリングするための、１又は複数の層を選択することとを備える請求項１記載の方法。
【請求項１２】
前記制御情報は、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットを備え、
前記選択することは、前記１又は複数のＡＣＫ／ＮＡＣＫビットを複数のグループに分けることと、前記層のセットから、前記ＡＣＫ／ＮＡＣＫビットのそれぞれのグループのアップリンクＭＩＭＯ伝送をスケジューリングするための、複数の層を選択することとを備える請求項１記載の方法。
【請求項１３】
前記制御情報のためにそれぞれ選択された１又は複数の層での、前記制御情報の少なくとも一部の伝送のための変調および符号化スキーム（ＭＣＳ）を決定することを更に備える請求項１記載の方法。
【請求項１４】
前記制御情報は、アクノレッジメント（ＡＣＫ）／ネガティブ・アクノレッジメント（ＮＡＣＫ）情報およびランク情報を含み、
前記決定することは、
二相位相変調（ＢＰＳＫ）および四相位相変調（ＱＰＳＫ）から成るグループから、ＡＣＫ／ＮＡＣＫ情報およびランク情報のための変調スキームを選択することと、
前記ＡＣＫ／ＮＡＣＫ情報およびランク情報に関連付けられた変調コンステレーション間のユークリッド距離が実質的に最大になるように、前記ＡＣＫ／ＮＡＣＫ情報およびランク情報のための符号化およびスクランブリングを実行することとを備える請求項１３記載の方法。
【請求項１５】
前記制御情報が、アクノレッジメント（ＡＣＫ）／ネガティブ・アクノレッジメント（ＮＡＣＫ）情報あるいはランク情報の少なくとも１つを含み、
前記決定することは、
ＡＣＫ／ＮＡＣＫ情報あるいはランク情報の少なくとも一部の伝送のために、チャネル品質情報あるいはプリコーディング情報に関連付けられたＭＣＳを選択することか、
予め定められたｎ、ｋの値についての（ｎ、ｋ）符号化スキームに従って、ＡＣＫ／ＮＡＣＫ情報あるいはランク情報のうちの少なくとも１つを符号化することか、あるいは
関連付けられた四相位相変調（ＱＰＳＫ）コンステレーションによって提供されたパリティ・ビットが、追加的なＡＣＫ／ＮＡＣＫ情報あるいはランク情報を運ぶために利用されるように、ＱＰＳＫに従ってＡＣＫ／ＮＡＣＫ情報あるいはランク情報のうちの少なくとも１つを変調することか
のうちの少なくとも１つを実行することによって前記制御情報のためのＭＣＳを選択することを備える請求項１３記載の方法。
【請求項１６】
前記制御情報は、チャネル品質情報を含み、
前記決定することは、前記チャネル品質情報と共に送信されるデータに関連付けられた前記チャネル品質情報の少なくとも一部の伝送のためのＭＣＳを選択することを備える請求項１３記載の方法。
【請求項１７】
前記層のセットは、空間層あるいはコードワードのうちの少なくとも１つに対応する請求項１記載の方法。
【請求項１８】
１又は複数のネットワーク・エンティティに送信される制御情報と、アップリンク多入力多出力（ＭＩＭＯ）伝送のために指定された層のセットとに関するデータを格納するメモリ
前記層のセットから、前記制御情報の少なくとも一部のアップリンクＭＩＭＯ伝送をスケジューリングするための、それぞれの層を選択するように構成されたプロセッサとを備える無線通信装置。
【請求項１９】
前記プロセッサは更に、前記制御情報の少なくとも一部のアップリンクＭＩＭＯ伝送をスケジューリングするための、前記層のセットにおける全ての層よりも少ない層のサブセットを選択するように構成される請求項１８記載の無線通信装置。
【請求項２０】
前記プロセッサは更に、
前記層のセットにおける前記層のうちで、最も低い符号レートあるいは変調次数を有していると決定された、前記層のセットにおけるそれぞれの層を含む、層の候補サブセットを識別し、
前記制御情報の少なくとも一部のアップリンクＭＩＭＯ伝送をスケジューリングするための、前記層の候補サブセットにおける１又は複数の層を選択するように構成される請求項１９記載の無線通信装置。
【請求項２１】
前記プロセッサは更に、
前記層のセットにおける層のうちで、最も高い符号レートあるいは変調次数を有していると決定された、前記層のセットにおけるそれぞれの層を含む、層の候補サブセットを識別し、
前記制御情報の少なくとも一部のアップリンクＭＩＭＯ伝送をスケジューリングするための、前記層の候補サブセットにおける１又は複数の層を選択するように構成される請求項１９記載の無線通信装置。
【請求項２２】
前記プロセッサは更に、前記制御情報の少なくとも一部のアップリンクＭＩＭＯ伝送をスケジューリングするための、前記層のセットにおける実質的に全ての層を選択するように構成される請求項１８記載の無線装置。
【請求項２３】
前記プロセッサは更に、前記層のセットにおけるそれぞれの層での伝送のためにスケジューリングされた制御情報に、それぞれのオフセットを適用するように構成される請求項１８記載の無線通信装置。
【請求項２４】
前記メモリは更に、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットに関するデータを格納し、
前記プロセッサは更に、
前記１又は複数のＡＣＫ／ＮＡＣＫビットを一緒に符号化すること、および、前記層のセットから、前記１又は複数のＡＣＫ／ＮＡＣＫビットのアップリンクＭＩＭＯ伝送をスケジューリングするための、１又は複数の層を選択することか、
前記１又は複数のＡＣＫ／ＮＡＣＫビットを複数のグループに分けること、および、前記層のセットから、前記ＡＣＫ／ＮＡＣＫビットのそれぞれのグループのアップリンクＭＩＭＯ伝送をスケジューリングするための、複数の層を選択することか
のうちの少なくとも１つを実行するように構成される請求項１８記載の無線通信装置。
【請求項２５】
前記プロセッサは更に、前記制御情報のためにそれぞれ選択された１又は複数の層での前記制御情報の少なくとも一部の伝送のための、変調および符号化スキーム（ＭＣＳ）を決定するように構成される請求項１８記載の無線通信装置。
【請求項２６】
前記メモリは更に、アクノレッジメント（ＡＣＫ）／ネガティブ・アクノレッジメント（ＮＡＣＫ）およびランク情報に関するデータを格納し、
前記プロセッサは更に、二相位相変調（ＢＰＳＫ）および四相位相変調（ＱＰＳＫ）から成るグループから、ＡＣＫ／ＮＡＣＫ情報およびランク情報のための変調スキームを選択し、
前記ＡＣＫ／ＮＡＣＫ情報およびランク情報に関連付けられた変調コンステレーション間のユークリッド距離が実質的に最大になるように、前記ＡＣＫ／ＮＡＣＫ情報およびランク情報のための符号化およびスクランブリングを実行するように構成される請求項２５記載の無線通信装置。
【請求項２７】
前記メモリは更に、アクノレッジメント（ＡＣＫ）／ネガティブ・アクノレッジメント（ＮＡＣＫ）あるいはランク情報のうちの少なくとも１つに関するデータを格納し、
前記プロセッサは更に、
ＡＣＫ／ＮＡＣＫ情報あるいはランク情報の少なくとも一部の伝送のために、チャネル品質情報あるいはプリコーディング情報に関連付けられたＭＣＳを選択することか、
予め定められたｎ、ｋの値についての（ｎ、ｋ）符号化スキームに従って、ＡＣＫ／ＮＡＣＫ情報あるいはランク情報のうちの少なくとも１つを符号化することか、あるいは
関連付けられた四相位相変調（ＱＰＳＫ）コンステレーションによって提供されたパリティ・ビットが、追加的なＡＣＫ／ＮＡＣＫ情報あるいはランク情報を運ぶために利用されるように、ＱＰＳＫに従ってＡＣＫ／ＮＡＣＫ情報あるいはランク情報のうちの少なくとも１つを変調することか
のうちの少なくとも１つを実行することによって前記制御情報のためのＭＣＳを選択するように構成される請求項２５記載の無線通信装置。
【請求項２８】
前記メモリは更に、チャネル品質情報に関するデータを格納し、
前記プロセッサは更に、前記チャネル品質情報と共に送信されるデータに関連付けられた前記チャネル品質情報の少なくとも一部の伝送のためのＭＣＳを選択するように構成される請求項２５記載の無線通信装置。
【請求項２９】
前記層のセットは、空間層あるいはコードワードのうちの少なくとも１つに対応する請求項１８記載の無線通信装置。
【請求項３０】
１又は複数のアップリンク多層伝送において送信される制御シグナリングを識別する手段と、
前記制御シグナリングの少なくとも一部をスケジューリングするための、１又は複数のアップリンク多層伝送に関連付けられたそれぞれの層を選択する手段とを備える装置。
【請求項３１】
前記選択する手段は、前記制御シグナリングの少なくとも一部をスケジューリングするための、前記１又は複数のアップリンク多層伝送に関連付けられた、全ての層よりも少ない層のサブセットを選択する手段を備える請求項３０記載の装置。
【請求項３２】
前記１又は複数のアップリンク多層伝送に関連付けられた、全ての層よりも少ない層の前記サブセットは、１つの層を備える請求項３１記載の装置。
【請求項３３】
前記選択する手段は、前記制御シグナリングの少なくとも一部をスケジューリングするための、前記１又は複数のアップリンク多層伝送に関連付けられた、実質的に全ての層を選択する手段を備える請求項３０記載の装置。
【請求項３４】
それぞれの選択された層での伝送のためにスケジューリングされた制御シグナリングに、それぞれのオフセットを適用する手段を更に備える請求項３０記載の装置。
【請求項３５】
前記制御シグナリングは、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットを備え、
前記選択する手段は、
前記１又は複数のＡＣＫ／ＮＡＣＫビットを一緒に符号化する手段、および、前記１又は複数のＡＣＫ／ＮＡＣＫビットをスケジューリングするための、前記１又は複数のアップリンク多層伝送に関連付けられた１又は複数の層を選択する手段か、あるいは、
前記１又は複数のＡＣＫ／ＮＡＣＫビットを複数のグループに分ける手段、および、前記ＡＣＫ／ＮＡＣＫビットのそれぞれのグループをスケジューリングするための、前記１又は複数のアップリンク多層伝送に関連付けられた複数の層を選択する手段か
のうちの少なくとも１つを備える請求項３０記載の装置。
【請求項３６】
前記制御シグナリングのためにそれぞれ選択された１又は複数の層での、前記制御シグナリングの少なくとも一部の伝送のための、変調および符号化スキーム（ＭＣＳ）を選択する手段を更に備える請求項３０記載の装置。
【請求項３７】
前記１又は複数のアップリンク多層伝送に関連付けられたそれぞれの層は、空間層あるいはコードワードのうちの少なくとも１つに対応する請求項３０記載の装置。
【請求項３８】
１又は複数のアップリンク多層伝送において送信される制御シグナリングをコンピュータに識別させるコードと、
前記制御シグナリングの少なくとも一部をスケジューリングするための、前記１又は複数のアップリンク多層伝送に関連付けられたそれぞれの層をコンピュータに選択させるコードとを備えるコンピュータ可読媒体を備える、コンピュータ・プログラム製品。
【請求項３９】
前記コンピュータ可読媒体は更に、コンピュータに、それぞれの選択された層での伝送のためにスケジューリングされた制御シグナリングに、それぞれのオフセットを適用させるコードを備える請求項３８記載のコンピュータ・プログラム製品。
【請求項４０】
前記制御シグナリングは、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットを備え、
前記コンピュータに選択させるコードは、
コンピュータに、前記１又は複数のＡＣＫ／ＮＡＣＫビットを一緒に符号化させるコード、および、コンピュータに、前記１又は複数のＡＣＫ／ＮＡＣＫビットをスケジューリングするための、前記１又は複数のアップリンク多層伝送に関連付けられた１又は複数の層を選択させるためコードか、あるいは
コンピュータに、前記１又は複数のＡＣＫ／ＮＡＣＫビットを複数のグループに分けさせるコード、および、コンピュータに、前記ＡＣＫ／ＮＡＣＫビットのそれぞれのグループをスケジューリングするための、前記１又は複数のアップリンク多層伝送に関連付けられた複数の層を選択させるコードか
のうちの少なくとも１つを備える請求項３８記載のコンピュータ・プログラム製品。
【請求項４１】
前記コンピュータ可読媒体は更に、前記制御シグナリングのためにそれぞれ選択された１又は複数の層での、前記制御シグナリングの少なくとも一部の伝送のための、変調および符号化スキーム（ＭＣＳ）を、コンピュータに選択させるコードを備える請求項３８記載のコンピュータ・プログラム製品。
【請求項４２】
前記１又は複数のアップリンク多層伝送に関連付けられたそれぞれの層は、空間層あるいはコードワードのうちの少なくとも１つに対応する請求項３８記載のコンピュータ・プログラム製品。
【請求項４３】
複数の層にわたって、ネットワーク・デバイスによって提供された伝送を識別することと、
制御情報がマッピングされた、前記伝送に対応するそれぞれの層を決定することと、
前記制御情報がマッピングされたと決定されたそれぞれの層で、前記制御情報の少なくとも一部を受信することとを備える方法。
【請求項４４】
前記決定することは、第１のタイプの制御情報がマッピングされた、前記伝送に対応する第１の層のセットを決定することと、
前記第１のタイプの制御情報とは異種である第２のタイプの制御情報がマッピングされた、前記伝送に対応する第２の層のセットを決定することとを備える請求項４３記載の方法。
【請求項４５】
前記受信することは、
前記制御情報がマッピングされた前記それぞれの層で前記制御情報に適用されたオフセットを識別することと、
それに適用されたオフセットに従って、前記制御情報の少なくとも一部を受信することとを備える請求項４３記載の方法。
【請求項４６】
前記オフセットを識別することは、前記伝送に対応するそれぞれの層にマッピングされた制御情報に適用された、層に依存しないオフセットを識別することを備える請求項４５記載の方法。
【請求項４７】
前記オフセットを識別することは、前記伝送に対応するそれぞれの層にマッピングされた制御情報に適用された、それぞれの層毎のオフセットを識別することを備える請求項４５記載の方法。
【請求項４８】
前記制御情報がマッピングされた前記層の少なくとも１つの特性、あるいは、前記制御情報がマッピングされる層の数に応じて、前記それぞれの層毎のオフセットを決定することを更に備える請求項４７記載の方法。
【請求項４９】
前記制御情報は、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットを備え、
前記決定することは、前記ＡＣＫ／ＮＡＣＫビットがマッピングされる１又は複数の層を決定することを備える請求項４３記載の方法。
【請求項５０】
前記伝送において提供された前記制御情報の少なくとも一部に適用された変調および符号化スキーム（ＭＣＳ）を識別することを更に備える請求項４３記載の方法。
【請求項５１】
前記制御情報は、アクノレッジメント（ＡＣＫ）／ネガティブ・アクノレッジメント（ＮＡＣＫ）情報あるいはランク情報のうちの少なくとも１つを含み、
前記識別することは、二相位相変調（ＢＰＳＫ）および四相位相変調（ＱＰＳＫ）に基づいて構築された、前記ＡＣＫ／ＮＡＣＫ情報およびランク情報に関連付けられた変調コンステレーションと前記ＡＣＫ／ＮＡＣＫ情報に関連付けられた変調コンステレーションと、前記ランク情報に関連付けられた変調コンステレーションとの間のユークリッド距離が実質的に最大になるような、関連付けられた符号化およびスクランブリングとを識別することを備える請求項５０記載の方法。
【請求項５２】
前記制御情報は、チャネル品質情報を含み、
前記ＭＣＳを識別することは、前記チャネル品質情報およびデータのための前記伝送内で利用される共通ＭＣＳを識別することを備える請求項５０記載の方法。
【請求項５３】
前記それぞれの層は、空間層あるいはコードワードのうちの少なくとも１つに対応する請求項４３記載の方法。
【請求項５４】
複数の層にわたってネットワーク・デバイスによって提供された伝送に関するデータを格納するメモリと、
制御情報がマッピングされた、前記伝送に対応するそれぞれの層を決定し、前記制御情報がマッピングされたと決定されたそれぞれの層で前記制御情報の少なくとも一部を受信するように構成されたプロセッサとを備える無線通信装置。
【請求項５５】
前記プロセッサは更に、前記制御情報がマッピングされた前記それぞれの層で前記制御情報に適用されたオフセットを識別し、前記適用されたオフセットに従って、前記制御情報の少なくとも一部を受信するように構成される請求項５４記載の無線通信装置。
【請求項５６】
前記プロセッサは更に、前記伝送に対応するそれぞれの層にマッピングされた制御情報に適用された、層に依存しないオフセットを識別するように構成される請求項５５記載の無線通信装置。
【請求項５７】
前記プロセッサは更に、前記伝送に対応するそれぞれの層にマッピングされた制御情報に適用された、それぞれの層毎のオフセットを識別するように構成される請求項５５記載の無線通信装置。
【請求項５８】
前記プロセッサは、前記伝送において提供された前記制御情報の少なくとも一部に適用された変調および符号化スキーム（ＭＣＳ）を識別するように更に構成される請求項５４記載の無線通信装置。
【請求項５９】
前記メモリは更に、アクノレッジメント（ＡＣＫ）／ネガティブ・アクノレッジメント（ＮＡＣＫ）情報あるいはランク情報のうちの少なくとも１つに関するデータを格納し、
前記プロセッサは、二相位相変調（ＢＰＳＫ）および四相位相変調（ＱＰＳＫ）に基づいて構築された、前記ＡＣＫ／ＮＡＣＫ情報および前記ランク情報に関連付けられた変調コンステレーションと、前記ＡＣＫ／ＮＡＣＫ情報に関連付けられた変調コンステレーションと前記ランク情報に関連付けられた変調コンステレーションとの間のユークリッド距離が実質的に最大になるような、関連付けられた符号化およびスクランブリングとを識別することを備える請求項５８記載の無線通信装置。
【請求項６０】
前記メモリは更に、チャネル品質情報に関するデータを格納し、
前記プロセッサは更に、前記チャネル品質情報およびデータのための、前記伝送内で利用される共通ＭＣＳを識別するように構成される請求項５８記載の無線通信装置。
【請求項６１】
前記それぞれの層は、空間層あるいはコードワードのうちの少なくとも１つに対応する請求項５４記載の無線通信装置。
【請求項６２】
ネットワーク・デバイスによって提供されるアップリンク多層伝送を識別する手段と、
前記アップリンク多層伝送における、制御シグナリングを含む１又は複数の層を決定する手段と、
前記アップリンク多層伝送における、１又は複数の決定された層に含まれる制御信号の少なくとも一部を処理する手段とを備える装置。
【請求項６３】
前記アップリンク多層伝送における、１又は複数の決定された層に含まれる制御シグナリングに適用されたオフセットを識別する手段を更に備え、前記処理する手段は、適用されたオフセットに従って、前記アップリンク多層伝送における１又は複数の決定された層に含まれる制御シグナリングの少なくとも一部を処理する手段を備える請求項６２記載の装置。
【請求項６４】
前記オフセットを識別する手段は、前記アップリンク多層伝送において、それぞれの層にマッピングされたそれぞれの制御シグナリングに適用された、層に依存しないオフセットを識別する手段か、前記アップリンク多層伝送において、それぞれの層にマッピングされたそれぞれの制御シグナリングに適用された、それぞれの層毎のオフセットを識別する手段かのうちの少なくとも１つを備える請求項６３記載の装置。
【請求項６５】
前記アップリンク多層伝送において提供された制御シグナリングの少なくとも一部に適用された変調および符号化スキーム（ＭＣＳ）を識別する手段を更に備える請求項６２記載の装置。
【請求項６６】
前記アップリンク多層伝送におけるそれぞれの層は、空間層あるいはコードワードのうちの少なくとも１つに対応する請求項６２記載の装置。
【請求項６７】
ネットワーク・デバイスによって提供されるアップリンク多層伝送をコンピュータに識別させるコードと、
前記アップリンク多層伝送における、制御シグナリングを含む１又は複数の層をコンピュータに決定させるコードと、
前記アップリンク多層伝送における、１又は複数の決定された層に含まれる制御シグナリングの少なくとも一部をコンピュータに処理させるコードとを備えるコンピュータ可読媒体を備える、コンピュータ・プログラム製品。
【請求項６８】
前記コンピュータ可読媒体は更に、前記アップリンク多層伝送における、１又は複数の決定された層に含まれる制御シグナリングに適用されたオフセットを、コンピュータに識別させるコードを備え、前記コンピュータに処理させるコードは、前記適用されたオフセットに従って、前記アップリンク多層伝送における１又は複数の決定された層に含まれる、前記制御シグナリングの少なくとも一部をコンピュータに処理させるコードを備える請求項６７記載のコンピュータ可読媒体。
【請求項６９】
前記コンピュータ可読媒体は、前記アップリンク多層伝送において提供された制御シグナリングの少なくとも一部に適用された変調および符号化スキーム（ＭＣＳ）をコンピュータに識別させるコードを更に備える請求項６７記載のコンピュータ可読媒体。
【請求項７０】
前記アップリンク多層伝送におけるそれぞれの層は、空間層あるいはコードワードのうちの少なくとも１つに対応する請求項６７記載のコンピュータ可読媒体。
【発明の詳細な説明】
【関連出願】
【０００１】
本出願は、“CONTROL AND DATA MULTIPLEXING FOR UPLINK MULTI-INPUT AND MULTI-OUTPUT COMMUNICATION IN LTE（登録商標）-A,”と題され、２００９年４月２３日に提出された、米国特許仮出願６１／１７２１４０号の利益を権利主張するものである。上記出願の全てが、参照によって本明細書に組み込まれる。
【技術分野】
【０００２】
本開示は一般に無線通信に関し、特に、多入力多出力（ＭＩＭＯ）通信環境内で通信を構成するための技術に関する。
【背景技術】
【０００３】
無線通信システムは、様々な通信サービスを提供するために広く展開され、例えば、音声、ビデオ、パケット・データ、ブロードキャスト、およびメッセージング・サービスが、このような無線通信システムによって提供されうる。これらのシステムは、利用可能なシステム・リソースを共有することによって複数の端末のための通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムを含む。
【０００４】
一般に、無線多元接続通信システムは、複数の無線端末のための通信を同時にサポートしうる。このようなシステムにおいて、各端末は、順方向および逆方向リンクでの伝送によって、１又は複数の基地局と通信しうる。順方向リンク（すなわち、ダウンリンク）は、基地局から端末への通信リンクを称し、逆方向リンク（すなわち、アップリンク）は、端末から基地局への通信リンクを称する。この通信リンクは、単一入力単一出力（ＳＩＳＯ）システムか、多入力単一出力（ＭＩＳＯ）システムか、単一入力多重出力（ＳＩＭＯ）か、多入力多出力（ＭＩＭＯ）システムによって確立されうる。
【０００５】
様々な無線通信環境において、伝送は、低いピーク対平均電力比および最適なモバイル・デバイス伝送効率のような利益を提供するために、単一キャリア波形を使用して構成される。通常、制御情報およびデータの両方ともがアップリンクで送信されるイベントにおいて、リソースの共通セット上に送信される制御情報およびデータを多重化することによって、単一キャリア伝送波形が構築(construct)される。しかし、無線通信システムがアップリンク伝送のためにＭＩＭＯを利用するイベントにおいては、ＭＩＭＯシステムによって利用される（例えば、空間層やコードワードなどに対応する）複数の層のために、制御およびデータ多重化のためのこのような既存の技術は実質的に実行不可能となる。従って、無線通信システムにおいて、アップリンクＭＩＭＯ伝送のために制御およびデータ多重化が実行されることができる技術を実現することが望ましいだろう。
【発明の概要】
【０００６】
権利主張される要旨の様々な態様の基本的認識を提供するために、このような態様の簡略化された概要が以下に示される。この概要は、意図された態様全てについての広範囲な要約ではなく、重要事項や決定的要素を識別することも、そのような態様の範囲を線引くことも意図されていない。この概要の唯一の目的は、後に示される、より詳細な説明に対する前置きとして、開示される態様のいくつかの概念を簡略化形式で示すことである。
【０００７】
態様に従って、方法が本明細書に説明される。この方法は、１つ又は複数のネットワーク・エンティティに送信される制御情報を識別することと、アップリンク多入力多出力（ＭＩＭＯ）伝送のために指定された層のセットに関する情報を取得することと、この層のセットから、制御情報の少なくとも一部のアップリンクＭＩＭＯ伝送をスケジューリングするための、それぞれの層を選択することとを含みうる。
【０００８】
本明細書に説明される第２の態様は、無線通信装置に関する。これは、１又は複数のネットワーク・エンティティに送信される制御情報と、アップリンクＭＩＭＯ伝送のために指定された層のセットとに関するデータを格納するメモリを備えうる。この無線通信装置は更に、前述の層のセットから、制御情報の少なくとも一部のアップリンクＭＩＭＯ伝送をスケジューリングするための、それぞれの層を選択するように構成されたプロセッサを備えうる。
【０００９】
第３の態様は装置に関する。これは、１又は複数のアップリンク多層伝送で送信される制御シグナリングを識別する手段と、制御シグナリングの少なくとも一部をスケジューリングするための、１又は複数のアップリンク多層伝送に関連付けられたそれぞれの層を選択する手段とを備えうる。
【００１０】
本明細書に説明される第４の態様は、コンピュータ・プログラム製品に関する。これは、１又は複数のアップリンク多層伝送で送信される制御シグナリングをコンピュータに識別させるコードと、制御シグナリングの少なくとも一部をスケジューリングするための、１又は複数のアップリンク多層伝送に関連付けられたそれぞれの層をコンピュータに選択させるコードとを備えるコンピュータ可読媒体を含みうる。
【００１１】
第５の態様によると、方法が本明細書に説明されている。この方法は、複数の層にわたってネットワーク・デバイスによって提供された伝送を識別することと、制御情報がマッピングされた、伝送に対応するそれぞれの層を決定することと、制御情報がマッピングされたと決定されたそれぞれの層で、制御情報の少なくとも一部を受信することとを備えうる。
【００１２】
本明細書に説明される第６の態様は、無線通信装置に関する。これは、複数の層にわたってネットワーク・デバイスによって提供された伝送に関するデータを格納するメモリを備えうる。無線通信装置は更に、制御情報がマッピングされた、伝送に対応するそれぞれの層を決定し、制御情報がマッピングされたと決定されたそれぞれの層で制御情報の少なくとも一部を受信するように構成されたプロセッサを備えうる。
【００１３】
第７の態様は装置に関する。これは、ネットワーク・デバイスによって提供されたアップリンク多層伝送を識別する手段と、アップリンク多層伝送における、制御シグナリングを含む１又は複数の層を決定する手段と、アップリンク多層伝送における、１又は複数の決定された層に含まれる制御シグナリングの少なくとも一部を処理する手段とを備えうる。
【００１４】
本明細書において説明される第８の態様は、コンピュータ・プログラム製品に関する。これは、ネットワーク・デバイスによって提供されるアップリンク多層伝送をコンピュータに識別させるコードと、アップリンク多層伝送における、制御シグナリングを含む１又は複数の層をコンピュータに決定させるコードと、アップリンク多層伝送における、１又は複数の決定された層に含まれる制御シグナリングの少なくとも一部をコンピュータに処理させるコードとを備えるコンピュータ可読媒体を含みうる。
【００１５】
前述の目的およびそれに関連する目的の達成に向けて、権利主張される要旨の１又は複数の態様はこれより以下に説明され、特に、請求項において指摘される特徴を備える。以下の説明および添付図面は、権利主張される要旨の特定の例示的な態様を詳細に説明する。これらの態様は例示的であるが、権利主張される要旨の原理が用いられうる様々な様式のうちのほんのいくつかを示しているに過ぎない。更に、開示される態様は、このような全ての態様と、それらに対する同等物を含むよう意図されている。
【図面の簡単な説明】
【００１６】
【図１】図１は、様々な態様に従って、無線通信システムにおける信号構築およびアップリンク伝送を容易にするシステムのブロック図である。
【図２】図２は、様々な態様に従って、無線通信システム内の伝送のために利用されうるチャネル構造の例を例示する。
【図３】図３は、様々な態様に従って、アップリンクＭＩＭＯ通信のための制御およびデータ多重化を容易にするシステムのブロック図である。
【図４】図４は、様々な態様に従って、無線通信システム内で送信されるそれぞれの制御情報のための層選択およびマッピングを容易にするシステムのブロック図である。
【図５】図５は、様々な態様に従って、アクノレッジメント（ＡＣＫ）／ネガティブ・アクノレッジメント（ＮＡＣＫ）情報のための符号化および層マッピングを容易にするシステムのブロック図である。
【図６】図６は、様々な態様に従って、無線通信システム内の制御情報のための変調および符号化スキーム（ＭＣＳ）選択および適用を容易にするシステムのブロック図である。
【図７】図７は、無線通信システムに関連付けられた１又は複数の層に制御情報をマッピングすることを容易にする方法体系のフロー図である。
【図８】図８は、伝送のためのＡＣＫ／ＮＡＣＫビットの伝送を準備するための方法体系のフロー図である。
【図９】図９は、ＭＩＭＯ通信システムにおいて送信される情報のための層マッピング、変調、および符号化を容易にする方法体系のフロー図である。
【図１０】図１０は、無線通信環境内で受信される多層伝送を処理するための方法体系のフロー図である。
【図１１】図１１は、無線通信環境内で受信される多層伝送を処理するための方法体系のフロー図である。
【図１２】図１２は、無線通信システムにおいて、制御シグナリングおよびデータのＵＬ  ＭＩＭＯ通信を容易にする装置のブロック図である。
【図１３】図１３は、無線通信システムにおいて、制御シグナリングおよびデータのＵＬ  ＭＩＭＯ通信を容易にする装置のブロック図である。
【図１４】図１４は、本明細書において説明される様々な態様を実施するために利用されうる無線通信デバイスのブロック図である。
【図１５】図１５は、本明細書において説明される様々な態様を実施するために利用されうる無線通信デバイスのブロック図である。
【図１６】図１６は、本明細書において説明される様々な態様に従って、無線多元接続通信システムを例示する。
【図１７】図１７は、本明細書において説明される様々な態様が機能することができる無線通信システムの例を示すブロック図である。
【発明を実施するための形態】
【００１７】
権利主張される要旨の様々な態様が、図面の参照を伴って説明される。ここにおいて、同一符番が同一要素を示すために使用されうる。以下の記述において、説明のために多くの特定の詳細が、１又は複数の態様の完全な理解を提供するために説明される。しかし、こういった態様が、これらの特定の詳細なしに実践されうることは明白である。その他の実例において、周知の構造およびデバイスは、１又は複数の態様の説明を容易にするために、ブロック図形態で示される。
【００１８】
用語「コンポーネント」、「モジュール」、「システム」、およびそれらと同様のものは、本願において使用される際、コンピュータに関連するエンティティ、すなわち、ハードウェアか、ファームウェアか、ハードウェアとソフトウェアとの組合せか、ソフトウェアか、実行中のソフトウェアかのうちの何れかを称するように意図されている。例えば、コンポーネントは、プロセッサ上で動作する処理や、集積回路や、オブジェクトや、実行ファイルや、実行スレッドや、プログラムおよび／あるいはコンピュータでありうるが、それらに限定はされない。例として、コンピューティング・デバイス上で動作するアプリケーションと、コンピューティング・デバイスとの両方ともが、コンポーネントでありうる。１又は複数のコンポーネントが、処理および／あるいは実行スレッド内に存在し、１つのコンピュータ上に局在化されるか、および／あるいは、２以上のコンピュータ間で分散されうる。加えて、これらのコンポーネントは、格納された様々なデータ構造を有する様々なコンピュータ可読媒体から実行されうる。（例えば、ローカル・システムにおいて、分散システムにおいて、および／あるいは、インターネットのようなネットワークにわたって、信号によって別のコンポーネントと相互作用する１つのコンポーネントからのデータのような）１又は複数のデータ・パケットを有する信号に従うような、ローカルおよび／あるいはリモートな処理を通じてコンポーネントは通信できる。
【００１９】
更に、無線端末および／あるいは基地局に関連付けて、様々な態様が本明細書において説明される。無線端末は、音声および／あるいはデータ接続性をユーザに提供するデバイスを称しうる。無線端末は、ラップトップ・コンピュータあるいはデスクトップ・コンピュータのようなコンピューティング・デバイスに接続されうる、あるいは、携帯情報端末（ＰＤＡ）のような、自立型デバイスでありうる。無線端末は、システム、サブキャリア・ユニット、サブキャリア局、モバイル局、モバイル、遠隔局、アクセス・ポイント、遠隔端末、アクセス端末、ユーザ端末、ユーザ・エージェント、ユーザ・デバイス、あるいはユーザ器機（ＵＥ）とも呼ばれうる。無線端末は、サブキャリア局、無線デバイス、セルラ電話、ＰＣＳ電話、コードレス電話、セッション初期化プロトコル（ＳＩＰ）電話、無線ローカル・ループ（ＷＬＬ）局、携帯情報端末（ＰＤＡ）、無線接続性能を有するハンドヘルド・デバイス、あるいは無線モデムに接続されたその他の処理デバイスでありうる。基地局（例えば、アクセス・ポイント又はノードＢ）は、エア・インタフェースによって１又は複数のセクタを介して無線端末と通信する、アクセス・ネットワークにおけるデバイスを称しうる。この基地局は、受信されたエア・インターフェース・フレームをＩＰパケットに変換することによって、無線端末と、残りのアクセス・ネットワークとの間のルータとしての機能を果たすことができる。これは、インターネット・プロトコル（ＩＰ）ネットワークを含みうる。この基地局は更に、エア・インタフェースについての属性の管理を調整する。
【００２０】
更に、本明細書において説明される様々な機能は、ハードウェア、ソフトウェア、ファームウェア、あるいはそれら任意の組合せにおいて実施されうる。ソフトウェアにおいて実現される場合、これらの機能は、１あるいは複数の命令群あるいはコードとして、コンピュータ可読媒体に格納されうる、もしくはそれによって送信されうる。コンピュータ可読媒体は、コンピュータ記憶媒体と、ある場所から別の場所へのコンピュータ・プログラムの転送を容易にする任意の媒体を含む通信媒体との両方を含む。記憶媒体は、コンピュータによってアクセスされうる任意の利用可能な媒体である。限定ではなく例として、このようなコンピュータ可読媒体は、ＲＡＭや、ＲＯＭや、ＥＥＰＲＯＭ（登録商標）や、ＣＤ−ＲＯＭもしくはその他の光ディスク記憶装置や、磁気ディスク記憶装置、もしくはその他の磁気記憶デバイスや、あるいは命令群もしくはデータ構造の形態で希望のプログラム・コードを伝達又は格納するために使用され、コンピュータ、あるいはプロセッサによってアクセスされうる、その他任意の媒体を備えうる。更に、任意のコネクションが、コンピュータ可読媒体と適切に称される。例えば、同軸ケーブルや、光ファイバ・ケーブルや、ツイスト・ペアや、デジタル加入者回線（ＤＳＬ）や、あるいは、赤外線、無線、及びマイクロ波のような無線技術を使用して、ウェブサイト、サーバ、あるいはその他の遠隔ソースからソフトウェアが送信される場合、同軸ケーブルや、光ファイバ・ケーブルや、ツイスト・ペアや、ＤＳＬや、あるいは赤外線、無線、及びマイクロ波のような無線技術が、媒体の定義に含まれる。本明細書で使用されるようなディスク（ｄｉｓｋ）及びディスク（ｄｉｓｃ）は、コンパクト・ディスク（ＣＤ）（ｄｉｓｃ）、レーザ・ディスク（ｄｉｓｃ）、光学ディスク、デジタル・バーサタイル・ディスク（ＤＶＤ）（ｄｉｓｋ）、フロッピー（登録商標）ディスク（ｄｉｓｋ）及びブルーレイ（登録商標）ディスク（ｄｉｓｃ）（ＢＤ）を含む。ここで、ディスク（ｄｉｓｋ）は通常データを磁気的に再生する一方、ディスク（ｄｉｓｃ）はレーザを用いてデータを光学的に再生する。上記のものによる組合せも、コンピュータ可読媒体の範囲内に含まれるべきである。
【００２１】
本明細書において説明された技術は、符号分割多元接続多元アクセス（ＣＤＭＡ）システム、時分割多元接続多元アクセス（ＴＤＭＡ）システム、周波数分割多元アクセス（ＦＤＭＡ）システム、直交周波数分割アクセス（ＯＦＤＭＡ）システム、単一キャリアＦＤＭＡ（ＳＣ−ＦＤＭＡ）システム、クラスタ化離散フーリエ変換（ＤＦＴ）拡散ＯＦＤＭ（ＣＬ−ＤＦＴ−Ｓ−ＯＦＤＭ）システムおよび／あるいはキャリア毎に単一ＤＦＴで非連続的な（non-contiguous）データ伝送を提供するその他のシステム、およびその他のシステムのような、様々な無線通信システムのために使用されうる。用語「システム」および「ネットワーク」は、本明細書において、しばしば置換可能に使用される。ＣＤＭＡネットワークは、ユニバーサル地上ラジオ・アクセス（ＵＴＲＡ）やｃｄｍａ２０００などのようなラジオ技術を実現しうる。ＵＴＲＡは、広帯域ＣＤＭＡ（Ｗ−ＣＤＭＡ（登録商標））およびＣＤＭＡのその他の変形を含む。ｃｄｍａ２０００は、ＩＳ−２０００規格、ＩＳ−９５規格、ＩＳ−８５６規格をカバーする。ＴＤＭＡシステムは、グローバル・システム・フォー・モバイル・コミュニケーション（ＧＳＭ（登録商標））のような無線技術を実現しうる。ＯＦＤＭＡシステムは、例えば、発展型ＵＴＲＡ（Ｅ−ＵＴＲＡ）、ウルトラ・モバイル・ブロードキャスト（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０．Ｆｌａｓｈ−ＯＦＤＭ（登録商標）などのような無線技術を実現しうる。ＵＴＲＡおよびＥ−ＵＴＲＡは、ユニバーサル・モバイル・テレコミュニケーション・システム（ＵＭＴＳ）の一部である。３ＧＰＰ（登録商標）ロング・ターム・エボリューション（ＬＴＥ（登録商標））は、Ｅ−ＵＴＲＡを使用する最新リリースである。これは、ダウンリンクでＯＦＤＭＡを用いて、アップリンクでＳＣ−ＦＤＭＡを用いる。ＵＴＲＡ、Ｅ−ＵＴＲＡ、ＵＭＴＳ、ＬＴＥ、およびＧＳＭは第３世代パートナシップ・プロジェクト（３ＧＰＰ）と命名された団体からの文書において説明される。加えて、ＣＤＭＡ２０００およびＵＭＢは、「第３世代パートナシップ・プロジェクト２」（３ＧＰＰ２）と命名された団体からの文書において説明される。
【００２２】
多数のデバイス、コンポーネント、モジュール、およびそれらと同様のものを含みうるシステムの観点から、様々な態様が示されるだろう。様々なシステムが、更なるデバイス、コンポーネント、モジュール等を含むこと、および／あるいは、図面に関連して議論されるそれらのデバイス、コンポーネント、モジュールなどのいくつか、あるいは全てを省略しうることが理解されるべきである。これらのアプローチの組合せも使用されうる。
【００２３】
ここで図を参照すると、図１は、様々な態様に従って無線通信システムにおける信号構築と（本明細書においては、逆方向リンク（ＲＬ）とも称される）アップリンク（ＵＬ）伝送とを容易にするシステム１００を例示している。図１が例示しているように、システム１００は、１又は複数の（本明細書おいては、モバイル・デバイスあるいは局、端末、アクセス端末（ＡＴ）などとも称されうる）ユーザ機器ユニット（ＵＥ）１１０を含みうる。これらは、システム１００内において、１又は複数の（本明細書においては、ノードＢあるいはｅＮＢ、セルあるいはネットワーク・セル、ネットワーク・ノード、アクセス・ポイント（ＡＰ）などとも称されうる）基地局１２０および／あるいは１又は複数のその他のエンティティと通信しうる。
【００２４】
１つの態様によると、ＵＥ１１０は、基地局１２０との１又は複数のＵＬ通信に従事しうる、また同様に、基地局１２０は、ＵＥ１１０への１又は複数の（本明細書においては、順方向リンク（ＦＬ）とも称されうる）ダウンリンク（ＤＬ）通信に従事しうる。１つの例において、ＵＥ１１０および基地局１２０は、システム１００内の通信を容易にするために、１又は複数のアンテナ１１８、１２６をそれぞれ用いることができる。システム１００に更に図示されるように、ＵＥ１１０および／あるいは基地局１２０は、システム１００内の通信のために、それぞれのトランシーバ１１６および／あるいはその他任意の適切な手段を利用しうる。
【００２５】
別の態様によると、ＵＥ１１０および／あるいは基地局１２０は、それぞれのＵＬおよび／あるいはＤＬ伝送のために、単一キャリアＦＤＭＡ（ＳＣ−ＦＤＭＡ）を利用しうる。ＳＣ−ＦＤＭＡは、固有の単一キャリア構造によって、低いピーク対平均電力比（ＰＡＰＲ）および／あるいはその他適切な利益を提供しうるということが理解されるだろう。従って、ＳＣ−ＦＤＭＡは、いくつかの実例において、例えば、送信電力効率又はそれと同様のものの観点から、より低いＰＡＰＲがモバイル端末にかなりの利益をもたらすＵＬ伝送にとって、有益なスキームでありうる。１つの例において、データおよび制御シグナリングの両方ともが、システム１００内のデバイスによって送信されるイベントにおいて、組み合わされた制御／データ伝送の単一キャリア構造は、データ上に制御情報を多重化することによって維持されうる。
【００２６】
それに加えて、ＵＥ１１０および／あるいは基地局１２０は、例えば、コンポーネント・キャリア（component carrier）非連続的なデータ伝送（例えば、ＣＬ−ＤＦＴ−Ｓ−ＯＦＤＭ）の実例においてのように、物理アップリンク共有チャネル（ＰＵＳＣＨ）伝送および／あるいは２つ以上のクラスタ化された割当を使用するその他の通信を行いうる。従って、本明細書において説明された様々な態様は、様々なＰＵＳＣＨリソース割当メカニズムおよび／あるいは、ＵＥ１１０、基地局１２０、および／あるいはそれらに関連付けられた通信システムによって利用されうる、その他のリソース割当技術（例えば、ＬＴＥに従って動作するシステムや、改良型ＬＴＥ（ＬＴＥ−Ａ）など）に適用されうる。例えば、（例えば、スロット内の連続ＰＵＳＣＨ割当のような）ＰＵＳＣＨ割当のための単一キャリア波形を保持する代わりに、マルチクラスタＰＵＳＣＨ割当が利用されうる。ここで、それぞれのクラスタは、それぞれの構成（constituent）スロットにおいて依然として連続的であるが、それぞれのクラスタ自体は必ずしも連続的ではない。１つの例において、このようなリソース割当および／あるいは、本明細書において説明される様々な態様に従って実行されうるその他のリソース割当技術は、ＵＬ効率を向上させるため、および／あるいは、その他適切な目的を達成するために利用されうる。
【００２７】
このやり方で実行されうる制御／データ多重化の例が、図２の図２００によって例示される。図２００によって例示されるように、例えば、チャネル品質インジケータ（ＣＱＩ）情報、プリコーディング行列インジケータ（ＰＭＩ）情報、ランク・インジケータ（ＲＩ）、アクノレッジメント（ＡＣＫ）／ネガティブ・アクノレッジメント（ＮＡＣＫ）シグナリング、スケジューリング要求（ＳＲ）シグナリング、又はそれらと同様のもののような制御情報が、任意のサブフレームでのデータ伝送と共存している場合、この制御情報はピギーバックされる（piggybacked）、および／あるいは、そうでない場合は、（例えば、物理アップリンク制御チャネル（ＰＵＣＣＨ）によって）個別に送信される代わりに、ＰＵＳＣＨおよび／あるいはその他のチャネルでデータと結合されうる。図２００によって示される特定の例において、ＣＱＩ／ＰＭＩおよびＲＩ情報はデータと共に多重化され、ＡＣＫ／ＮＡＣＫはＰＵＳＣＨリソースをパンクチャするように構成され、また、ＳＲは、対応する媒体アクセス制御（ＭＡＣ）ペイロードの一部として提供されうる。しかし、図２００は単なる例として提供されているということと、制御情報およびデータは任意の適切なやり方で結合されうるということとが理解されうる。
【００２８】
１つの態様によると、図２００に図示されたやり方および／あるいはその他任意の適切なやり方でデータと共に変調された制御情報は、いくつかの実例において、共に多重化されたデータと比べて、異なる相対的品質を必要としうる。例えば、データの許容誤りレートが比較的高い一方で（例えば、およそ１０％）、ＡＣＫ／ＮＡＣＫのような、いくつかのタイプの制御情報のための対応する許容誤りレートは、著しく低くなりうる（例えば、およそ１０-3）。更に、（例えば、ＡＣＫ／ＮＡＣＫ、ＲＩ、ＣＱＩ、ＰＭＩなどのような）異なるタイプの制御情報は、互いと比べて、異なる許容誤りレートを有しうる。
【００２９】
１つの例において、制御情報と、この制御情報が多重化されたデータとのために必要とされる品質レベルを変化させることは、（例えば、図２００あるいは別の図に示されるように）データおよび制御がそれぞれマッピングされるリソースにわたって、異なるやり方で電力制御を実行することによって達成されうる。代替的に、共通送信電力が制御情報およびデータのために利用され、制御およびデータのためにそれぞれ利用される、符号化されたシンボル、リソース要素（ＲＥ）、又はそれらと同様のものの数は、それぞれの許容信号品質を確実にするために変化しうる。特定の例として、制御情報についての異なる符号化レートが、異なる数の符号化されたシンボルを伝送のために割り当てることによって達成されうる。これは、例えば、制御情報ビットの数、スケジューリングされたＰＵＳＣＨ伝送帯域幅、サブフレーム毎のＳＣ−ＦＤＭＡシンボルの数、符号化されたＰＵＳＣＨビットの数、および／あるいはその他任意の適切なパラメータと組み合わせて、層３（Ｌ３）構成（configured）のＵＥ特有オフセットを利用することによってなされうる。
【００３０】
上記のやり方で構築されるＰＵＳＣＨ伝送に適用される符号化レートは、性質的に動的でありうるということが理解されうる。このような伝送は、（例えば、ＰＤＣＣＨフォーマット０などに従って提供された）関連のあるＰＤＣＣＨシグナリングがＰＵＳＣＨ伝送のために利用される変調および符号化スキーム（ＭＣＳ）を含むように、ＰＤＣＣＨ又はそれと同様のものを使用してスケジューリングされうる。更に、このように、ＰＵＳＣＨ伝送が動的であると同時に、共通ＰＵＳＣＨ伝送内の制御情報とデータとの間の相対品質の差は、例えば、データの実効（effective）符号化レートに関して、ＰＵＳＣＨ伝送における制御情報の実効符号化レートを提供することによって、半静的（semi-static）にされうるということが理解されうる。従って、ＰＵＳＣＨ伝送を仮定すると、伝送内に含まれる各チャネルに割り当てられたＲＥの実際の数は、ＰＵＳＣＨ伝送に関連付けられたＭＣＳと、伝送内のデータに関するＰＵＳＣＨ伝送内の制御情報の相対的な実効符号化レートに対応する追加の情報とに基づいて決定されうる。
【００３１】
別の例において、図２００および／あるいはその他任意の適切な技術に従って構築されるＰＵＳＣＨ伝送は、二相位相変調（ＢＰＳＫ）、四相位相変調（ＱＰＳＫ）、ｎ次の直交振幅変調（ｎ−ＱＡＭ）、又はそれらと同様のもののような、任意の適切な変調次数（modulation order）を利用しうることが理解されうる。しかし、ＡＣＫ／ＮＡＣＫ又はそれと同様のもののような、いくつかのタイプの制御情報について、いくつかの実例では、ｎ−ＱＡＭのような高次の変調スキームを利用することは望ましくない。従って、１つの例において、ＣＱＩ、ＰＭＩ、又はそれと同様のもののようないくつかの制御情報が、ＰＵＳＣＨのものと同じ変調次数を利用しうるが、その一方で、ＡＣＫ／ＮＡＣＫおよびＲＩのような、その他のタイプの制御情報についての変調コンステレーションは、それぞれの伝送についてのユークリッド距離が最大になるように限定されうる。
【００３２】
更なる例において、ＡＣＫ／ＮＡＣＫ伝送が、バンドリング・モードおよび／あるいは多重化モードに従って、図２００に図示されたもののような伝送スキームを利用して、時分割二重通信（ＴＤＤ）システムのために実行されうる。バンドリング・モードにおいて、バンドリングされた伝送は、各対応するコードワードについて、バンドリング・ウィンドウにおける複数のサブフレームにわたって論理積を実行することによって達成されうる。従って、例えば、２つのＤＬサブフレームは、両方のサブフレームが正しく受信された場合にはＡＣＫが送られ、いずれかのサブフレームが正しく受信されなかった場合にはＮＡＣＫが送られるように、１つのＵＬ  ＡＣＫ／ＮＡＣＫ伝送にマッピングされうる。多重化モードにおいて、多重化された伝送は、任意のサブフレームにおいて、複数のコードワードにわたって論理積を実行することによって達成されうる。このように、例えば、２つのＤＬコードワードは、両方のコードワードについて情報が正しく受信された場合はＡＣＫが送られ、コードワードのうちの少なくとも１つについて情報が正しく受信されなかった場合はＮＡＣＫが送られるように、１つのＵＬ  ＡＣＫ／ＮＡＣＫ伝送にマッピングされうる。
【００３３】
上記で説明されたような、制御情報とデータとを共通伝送に結合するための様々な技術が、単一入力単一出力（ＳＩＳＯ）あるいは単一入力多出力（ＳＩＭＯ）システムに関連付けられているような、ランク１の伝送のコンテキストにおいて利用されうる。しかしながら、（例えば、システム１００に示されたような）多入力多出力（ＭＩＭＯ）ＵＬ通信の実例においてのように、ネットワーク・デバイスが１を上回る送信ランクを利用できるイベントにおいて、上記の技術は、ＭＩＭＯ伝送によって利用される複数の層によって、実施が困難になりうる。本明細書において使用される場合に、用語「層」は、（例えば、それぞれのアンテナ、ビーム、および／あるいは複数のアンテナのそれぞれの組合せとして形成されたその他のものなどに対応する）空間層、コードワード、および／あるいはその他任意の適切な（複数の）構造を称し、また、それに対応する。更に、明示的にそうではないと述べられない限りは、権利主張される要旨は、このような単一の解釈あるいは解釈のセットに限定されるよう意図されていないということが理解されるべきである。
【００３４】
１つの態様によると、システム１００におけるＵＥ１１０は、複数の層にわたる制御情報およびデータの複合伝送を容易にするための様々な技術を利用することができる。例えば、システム１００に示されたように、ＵＥ１１０は、制御情報ソース１１２および／あるいはその他適切なメカニズムによって、基地局１２０のような１又は複数のネットワーク・エンティティに送信される制御情報を識別できる。更に、ＵＥ１１０は、ＵＬ  ＭＩＭＯ伝送のために指定された（例えば、空間層やコードワードなどのような）層のセットに関する情報を取得し、この層のセットから、制御情報の少なくとも一部のＵＬ  ＭＩＭＯ伝送をスケジュールするためのそれぞれの層を選択しうる、層マッピング・モジュール１１４を含みうる。正しくスケジューリングされると、制御情報は、トランシーバ１１６によって（例えば、データと共に）送信されうる。その後、基地局１２０において、トランシーバ１１６および／あるいはその他のメカニズムは、複数の層にわたって、ＵＥ１１０のようなネットワーク・デバイスによって提供された伝送を識別しうる。基地局１２０は、その後、層識別モジュール１２２および／あるいは、制御情報がマッピングされた、伝送に対応するそれぞれの層を決定するその他の適切な手段を利用し、それに基づいて、トランシーバ１１６および／あるいは制御処理モジュール１２４は、制御情報がマッピングされたと決定されたそれぞれの層で、制御情報の少なくとも一部を受信しうる。制御情報が正しく受信されると、この制御情報は、制御処理モジュール１２４および／あるいはその他の手段によって処理されうる。
【００３５】
ここで図３を参照すると、様々な態様に従ってＵＬ  ＭＩＭＯ通信のための制御およびデータ多重化を容易にするシステム３００が例示される。図３に示されるように、システム３００は、制御情報ソース１１２とデータ・ソース３１０、および／あるいは、システム３００に関連付けられたエンティティによって送信される制御シグナリングおよび／あるいはデータ、それぞれのその他任意の適切な（複数の）ソースを含みうる。制御情報ソース１１２およびデータ・ソース３１０によって提供されるそれぞれの情報は、多重化器３２０および／あるいは層マッピング・モジュール１１４に提供されうる。１つの例において、制御情報ソース１１２および／あるいはデータ・ソース３１０によって提供された情報は、多重化器３２０および／あるいはその他適切な手段によって結合されうる、および／あるいは、トランシーバ１１６による伝送の前に、層マッピング・モジュール１１４によって、１又は複数の層にマッピングされうる。１つの例において、多重化器３２０および層マッピング・モジュール１１４の動作は、任意の適切な順序で実行されうる。従って、例えば、データ・ソース３１０および制御情報ソース１１２からの情報は、多重化された情報が層マッピング・モジュール１１４に提供されるように、最初に多重化器３２０に提供されうる、あるいは代替的に、制御情報ソース１１２およびデータ・ソース３１０からの情報は、多重化が多重化器３２０によって層毎ベースで実行されることができるように、最初に層マッピング・モジュール１１４に提供されうる。
【００３６】
１つの例において、システム３００は、ＵＬ  ＭＩＭＯ伝送スキームのコンテキストにおいて利用されうる。従って、多重化器３２０および／あるいは層マッピング・モジュール１１４は、単一キャリア伝送、マルチクラスタ伝送、および／あるいは複数の空間層、コードワード、および／あるいはその他任意の層にわたる制御情報およびデータのその他任意の適切な伝送を容易にするために利用されうる。１つの態様によると、システム３００によって使用可能な、本明細書に説明された様々な技術は、ランク１伝送のコンテキストにおける制御／データ多重化のための既存の技術を、ＭＩＭＯ伝送の実例に適応させることができる。従って、例えば、本明細書に提供されるような様々な技術は、ＵＬ  ＭＩＭＯ伝送のための、単一キャリア波形、マルチクラスタ波形、又はそれらと同様のものの生成を容易にする新規のやり方において、オフセット・ベースの実効符号化レート、変調次数設計、レート・マッチングおよび／あるいはパンクチャリング、又はそれらと同様のもののような、伝送波形設計の様々な態様を利用しうる。例えば、本明細書において提供されるような様々な態様は、対応するデータ上に制御情報がピギーバックされるＰＵＳＣＨ専用伝送、制御およびデータの並列伝送が行われるＰＵＣＣＨ+ＰＵＳＣＨ並列伝送、および／あるいはその他適切な伝送タイプを容易にするために利用されうる。
【００３７】
本明細書において一般的に使用されるように、ＰＵＳＣＨのために利用される伝送層の数は、Ｌによって示される（例えば、ここで、Ｌ≧１）。本明細書における様々な態様は、（例えば、ＭＩＭＯ伝送に対応する）Ｌ≧１である実例に向けられるが、その一方で、本明細書において説明されるような様々な態様は、Ｌの任意の適切な値についての伝送波形の生成を容易にする当該技術分野において一般的に知られているような様々な技術と組み合わせて、あるいはそれらの代わりに、利用されうるということが理解されうる。本明細書において更に使用されるように、スケジューリング要求（ＳＲ）シグナリングは、ＳＲおよびＰＵＳＣＨの多重化が実行される必要がないように、対応するＭＡＣプロトコル・データ・ユニット（ＰＤＵ）の一部として含まれうる。しかしながら、ＳＲシグナリングと、その他任意の複数のシグナリングのタイプとが、本明細書において明示的に述べられていようとなかろうと、本明細書において提供される様々な態様に従って、通信内で多重化される、および／あるいは、別の方法で提供されうるということが理解されるべきである。更に、別段の明示的な記述がない限り、権利主張される要旨は、いかなる特定の（複数の）使用実例および／あるいは（複数の）シグナリングのタイプにも限定されることは意図されていないということが理解されるべきである。
【００３８】
更に本明細書において使用される場合に、関連付けられた通信システムによって利用されるＬ層は、ｌｎと称され、ここで、ｎ＝１、．．．、Ｌである。更に、特定の例として、ＣＱＩを運ぶために使用される（複数の）層は、ｌＣＱＩと示され、ＲＩを運ぶための（複数の）層はｌＲＩと示され、ＡＣＫ／ＮＡＣＫを運ぶために使用される（複数の）層は、ｌＡＮと示される。更に、上記に説明されたように、本明細書において使用される場合に、用語「層」は、コードワードと同様に空間層にも対応しうる。このように、例として、伝送スキームが、４つの空間層と、２つだけのコードワードとを利用する場合、各コードワードは、２つの空間層に対してマッピングするように構成されうる。従って、本明細書におけるそれぞれの技術は、各々が２つの空間層にマッピングする、それぞれのコードワードに対応する２つの実効層のシステムに基づくこのような例において動作しうる。代替的に、本明細書のそれぞれの技術は、４つの提供された空間層に基づいて動作しうる。
【００３９】
次に図４を参照すると、様々な態様に従って、無線通信システム内で送信されるそれぞれの制御情報のための層選択およびマッピングを容易にするシステム４００が例示される。システム４００は、制御情報ソースを含みうる。これは、１又は複数の制御タイプ４１２の制御情報を生成および／あるいは、さもなければ識別しうる。更に、システム４００は、ＵＬ  ＭＩＭＯ伝送のために、それぞれの層に制御情報をマッピングする層マッピング・モジュール１１４を含みうる。
【００４０】
上述されたように、１又は複数のタイプの制御情報を運ぶ層の数は、ＭＩＭＯ伝送において、１に制限される必要はないので、ＰＵＳＣＨのために利用される層の数は、１よりも大きくなりうる。従って、例えば、｜ｌＣＱＩ｜≧１が、いくつかの実例において利用されうる、また、同様の観測が、ＲＩ、ＡＣＫ／ＮＡＣＫ、および／あるいはその他任意の制御タイプ４１２についてなされうる。このように、１つの態様に従って、制御情報は、１又は複数の層に層マッピング・モジュール１１４によって、エンコードされ、マッピングされうる、またそれによって、制御情報転送の信頼性と、複数の層にわたるＰＵＳＣＨ性能に対する影響とのトレードオフを提供する。
【００４１】
ＣＱＩを利用する例として、以下の２つのシナリオが考慮されうる。第１に、  
【数１】
2017005703.tif 000003
【００４２】
であるシナリオが考慮され、ここで、  
【数２】
2017005703.tif 000004
【００４３】
は、ＣＱＩ伝送ためのシンボルの数を決定するオフセットである。第２に、  
【数３】
2017005703.tif 000005
【００４４】
であるシナリオが考慮され、ここで、  
【数４】
2017005703.tif 000006
【００４５】
は、層毎のＣＱＩ伝送のためのシンボルの数を決定するオフセットである。これら２つのシナリオに基づいて、関連付けられた基地局および／あるいはその他のエンティティにおいて、同じ又は同様の目標性能を達成するために、Ｘ１およびＸ２は、同じＣＱＩ情報の多層伝送を可能にすることによって、Ｘ２≦Ｘ１となるように設定されうる。これは、上記のうちの第１のシナリオを利用している間、ＣＱＩの伝送は（例えば、複数の層にわたる影響が不均一になるように）唯一の層に対する影響を有しているが、その一方で、第２のシナリオにおけるＣＱＩの伝送は、全ての層に対して均一の影響を有する。更に、第２のシナリオにおいて、層毎の影響は、層毎のより小さい制御オフセットのために、第１のシナリオにおける特定の層に対するものよりも少ない。
【００４６】
従って、上記の分析を仮定すると、層マッピング・モジュールは様々なやり方で、システム４００に関連付けられた１又は複数の層に対してそれぞれの制御情報をマッピングしうる。１つの態様に従って、層選択モジュール４２２は、システム４００に関連付けられた層のセットから、制御情報ソース１２２からの制御情報をマッピングするために利用するための、１又は複数の層を選択しうる。層選択モジュール４２２は、関連付けられた層のセットにおけるそれぞれの層を分析するオプションの層分析モジュール４２４と協調して、および／あるいは、それとは無関係に動作しうる。別の態様において、制御情報のための１又は複数の層を選択すると、オフセット選択モジュール４２６は、関連付けられた層のセットにおけるそれぞれの層での伝送のためにスケジューリングされた制御情報に対して、それぞれのオフセットを選択して適用するために利用されうる。層マッピング・モジュール１１４とそのそれぞれのコンポーネントが動作しうる、様々な特定の、限定的でない例が更に詳細に以下に説明される。
【００４７】
第１の例において、層マッピング・モジュール１１４は、層選択モジュール４２２を用いて、制御情報ソース１１２によって提供される制御情報の少なくとも一部のアップリンクＭＩＭＯ伝送をスケジューリングするための、関連付けられた層のセットにおける実質的に全ての層を選択しうる。従って、ＣＱＩ、ＲＩ、およびＡＣＫ／ＮＡＣＫシグナリングの例において、このような情報をスケジューリングするために利用される層は、｜ｌＣＱＩ｜＝｜ｌＲＩ｜＝｜ｌＡＮ｜＝Ｌと表されうる。別の例において、層に依存する層３（Ｌ３）構成は、ＣＱＩ、ＲＩ、およびＡＣＫ／ＮＡＣＫシグナリングに適用されるオフセットのために利用されうる。これらはそれぞれ、  
【数５】
2017005703.tif 000007
【００４８】
と表されうる。従って、それぞれのオフセットは、  
【数６】
2017005703.tif 000008
【００４９】
として設定されうる。ここでは、例えば、  
【数７】
2017005703.tif 000009
【００５０】
上述されたように、本明細書にいて使用される用語「層」は、空間層あるいはコードワードに適用することができる。従って、上記の複数の例が、オフセットがコードワード毎ベースで制御情報のために設定可能な実例に拡張されうることが理解されうる。
【００５１】
第２の例において、層マッピング・モジュール１１４は、制御情報ソース１１２によって提供された制御情報の少なくとも一部のアップリンクＭＩＭＯ伝送をスケジューリングするための、関連付けられた層のセットにおける全ての層よりも少ない層のサブセットを、層選択モジュール４２２を用いて選択しうる。層選択モジュール４２２によって選択された層のサブセットは、例えば、１つの層、あるいはシステム４００に関連付けられた層の総数よりも少ない任意の数の層を含みうる。
【００５２】
従って、例えば、層マッピング・モジュール１１４は、制御情報の伝送を、層毎ベースに制限するために利用されうる。ここにおいて、例えば、｜ｌＣＱＩ｜＝｜ｌＲＩ｜＝｜ｌＡＮ｜＝１である。このような実例において、層選択モジュール４２２はいくつかの場合に、このようなマッピングが可能であると、例えば、ｌＣＱＩ≠ｌＲＩ≠ｌＡＮとなるように、ＣＱＩ、ＲＩ、ＡＣＫ／ＳＮＣＫ、および／あるいはその他の制御タイプ４１２の、異なる層での伝送を容易にしうる。このやり方で制御情報をそれぞれの層にマッピングすることによって、この制御情報を、関連付けられたネットワーク・デバイスによって送信されるデータと結合することがもたらす影響は、異なる層にわたって可能な範囲まで分布しうる。
【００５３】
このような制御マッピング技術が利用される場合、層選択モジュール４２２は、層分析モジュール４２４とは無関係に、および／あるいはその助けを借りて、様々なやり方でスケジューリング制御情報のために使用するためのそれぞれの層を決定しうる。例えば、異なる層の変調次数および／あるいは符号化レートが、制御対層（control-to-layer）マッピングを決める（decide）ために使用されうる。従って、層マッピング・モジュール１１４および／あるいはその他の手段が、制御情報ソース１１２に関連付けられた制御情報に関連付けられた（複数の）品質しきい値と、関連付けられた層のセットにおけるそれぞれの層によって達成可能なそれぞれの品質レベルとを識別するために利用され、層選択モジュール４２２は、制御情報に関連付けられた（複数の）品質しきい値と、それぞれの層によって達成可能なそれぞれの品質レベルとに従って、関連付けられた層のセットから１又は複数の層を選択しうる。
【００５４】
更に、制御情報ソース１１２によって提供された制御タイプ４１２の相対的優先順位が、御情報ソース１１２によって提供される制御情報がマッピングされる１又は複数の層を決定する際に考慮されうる。従って、例えば、ＡＣＫ／ＮＡＣＫおよびＲＩが、ＣＱＩおよび／あるいはＰＭＩよりも高い優先順位を与えられるイベントにおいて、（例えば、低い符号化レートや低い変調次数などのような）より高いレベルの伝送プロテクションを提供する層へのマッピングについて、ＡＣＫ／ＮＡＣＫおよびＲＩは、ＣＱＩおよびＰＭＩよりも高い優先順位を与えられうる。
【００５５】
上記に対する代替的なマッピング・ストラテジとして、層マッピング・モジュール１１４は、ＣＱＩ、ＲＩ、ＡＣＫ／ＮＡＣＫ、および／あるいはその他任意の適切な制御タイプ４１２の、１又は複数の候補層での伝送を容易にしうる。これは、様々な要因に基づいて選択されうる。例えば、層マッピング・モジュール１１４は、関連付けられた層のセットの中から層の候補サブセットを識別し、制御情報ソース１１２によって提供される制御情報の少なくとも一部のＵＬ  ＭＩＭＯ伝送をスケジューリングするための、層の候補サブセットにおける１又は複数の層を選択しうる。
【００５６】
１つの例において、層の候補サブセットは、関連付けられた層のセットにおける層のうちで、最も低い符号レート、変調次数、又はそれらと同様のものを有していると決定された、関連付けられた層のセットにおけるそれぞれの層を含みうる。例えば、ＰＵＳＣＨが、より低い符号レートおよび／あるいは変調次数を有するＤＬ制御情報（ＤＣＩ）フォーマットのレート・マッチングおよびパンクチャリングに対して、より感度が低いという事実に起因して、層選択およびマッピングはこのようなやり方で実行されうる。追加的あるいは代替的に、上記のように、制御情報の伝送について低い変調次数および／あるいは符号レートを有する１又は複数の層を利用することは、いくつかの実例において、伝送誤り又はそれと同様のものに対して、より高い制御情報のプロテクションを生じさせることができる。
【００５７】
代替的な例において、層の候補サブセットは、関連付けられた層のセットにおける層のうちの、最も高い符号レート、変調次数、又はそれらと同様のものを有していると決定された、関連付けられた層のセットにおけるそれぞれの層を含みうる。１つの例において、このような例は、ＵＬアンテナ不均衡の実例において利用されうる。例えば、ネットワーク・デバイスが様々な利得の複数のアンテナを有し、各アンテナは１又は複数の異なる（distinct）層に関連付けられているという実例において、より高い利得を有するアンテナは、より低い利得を有するアンテナよりも、比較的高いＭＣＳに関連付けられうる。従って、ＰＵＳＣＨおよび／あるいはＵＬ伝送のその他の態様に対する影響を最小限にするために、制御情報は、最も高い相対的品質および／あるいは対応するＭＣＳを有する、（複数の）対応するチャネルおよび／あるいは（複数の）アンテナにマッピングされうる。更に、このやり方で高ＭＣＳ層に制御情報をマッピングすることによって、制御情報および対応するデータについて、与えられた品質目的を達成するのに必要とされるリソース要素（ＲＥ）の数は、低ＭＣＳ層に関連付けられた場合よりも少なくなりうる、それによって、いくつかの実例において、制御伝送についてのオーバヘッドを低減することが可能であるということが理解されうる。
【００５８】
別の態様において、制御タイプ毎の多層伝送が、層マッピング・モジュール４１４によって容易にされうる。ここにおいて、例えば、１≦｜ｌＣＱＩ｜、１≦｜ｌＲＩ｜≦Ｌ、および、１≦｜ｌＡＮ｜≦Ｌである。このようないくつかの例において、かかる層の数（the spanned number of layer）は、（例えば、ＣＱＩ、ＲＩ、ＡＣＫ／ＮＡＣＫなどのような）それぞれの制御タイプ４１２について、別々に設定されうる。１つの例において、層マッピング・モジュール１１４、層選択モジュール４２２、又はそれらと同様のものは、ＰＵＳＣＨ性能および／あるいはその他適切な性能の測定基準に対する影響が可能な範囲内で最小限になるように、上記のやり方で制御情報を層にマッピングすると同時に、対応する制御情報について十分な品質を提供する。
【００５９】
上記の様々な例において説明されたように、それぞれのオフセットは、オフセット選択モジュール４２６および／あるいは層マッピング・モジュール１１４に関連付けられたその他適切な手段を利用することによって、それぞれの層にマッピングされる制御情報に適用されうる。１つの例において、層に依存するオフセットは、システム４００に関連付けられた層のセットにおける、それぞれの層での伝送のためにスケジューリングされた制御情報の少なくとも一部に適用されうる。追加的あるいは代替的に、層に依存するオフセット、コードワードに依存するオフセット、および／あるいは、それらとは異なる可変オフセットが、関連付けられた層のセットにおけるそれぞれの層での伝送のためにスケジューリングされた制御情報の少なくとも一部に適用されうる。１つの例において、それぞれの層の間の可変オフセットは、それぞれの層に応じて与えられうる。例えば、それぞれの可変オフセットについての値は、制御情報の伝送がスケジューリングされるそれぞれの層の（例えば、変調次数や符号化レートなどのような）少なくとも１つの特性、あるいは、制御情報の伝送がスケジューリングされる層の数に基づいて決定されうる。
【００６０】
再度図１を参照すると、システム４００に関して上記に説明されたような１又は複数の技術に従って構築されたＵＬ  ＭＩＭＯ伝送を受信すると、基地局１２０は、層識別モジュール１２２、および／あるいは、制御情報がマッピングされているそれぞれの層を識別するその他適切な手段を利用し、それに基づいて、制御処理モジュール１２４および／あるいはその他の適切なメカニズムが、識別された制御情報を処理しうる。特定の例として、層識別モジュール１２２は、第１のタイプの制御情報がマッピングされた、ＵＥ１１０からの伝送に対応する第１の層のセット、および第１のタイプの制御情報とは異種である第２のタイプの制御情報がマッピングされた、ＵＥ１１０からの伝送に対応する第２の層のセットなどを決定しうる。
【００６１】
更に、ＵＥ１１０によって、層マッピングされた制御情報にオフセットが適用される実例において、層識別モジュール１２２および／あるいは基地局１２０のその他のコンポーネントは、適用されたオフセットに従って、制御情報の少なくとも一部の受信を可能にするために、制御情報がマッピングされたそれぞれの層で制御情報に適用されたオフセットを識別するために利用されうる。１つの例において、基地局１２０によって識別されたオフセットは、伝送に対応するそれぞれの層にマッピングされた制御情報に適用された、層に依存しないオフセット、伝送に対応するそれぞれの層にマッピングされた制御情報に適用された、それぞれの層毎のオフセット、および／あるいはその他任意の（複数の）オフセットでありうる。別の例において、基地局１２０は、制御情報がマッピングされた層の少なくとも１つの特性、あるいは、制御情報がマッピングされた層の数に応じて、制御情報に適用されたそれぞれの層毎のオフセットを決定しうる。
【００６２】
次に図５を参照すると、様々な態様に従って、ＡＣＫ／ＮＡＣＫ情報についての符号化および層マッピングを容易にするシステム５００のブロック図が例示される。１つの態様によると、ＵＬ上の複数の層の存在は、ＴＤＤ  ＡＣＫ／ＮＡＣＫバンドリングおよび／あるいは多重化モード動作を再設計するための機会を提供しうるということが理解されうる。従って、システム５００は、１又は複数のＡＣＫ／ＮＡＣＫビット５１２を層マッピング・モジュール１１４に提供する制御情報ソース１１２を含みうる。これは、本明細書において更に詳細にわたって説明されるような、ＡＣＫ／ＮＡＣＫ符号化モジュール５２２および／あるいは層割当モジュール５２４を活用しうる。以下の説明は、ＴＤＤ  ＡＣＫ／ＮＡＣＫ通信のための多重化モードに焦点を当てているが、本明細書において例示および説明されたこれらの技術と同様の技術が、バンドリング・モードに適用されうることが理解されるべきである。更に、本明細書で説明されたこれらの技術と同様の技術が、例えば、異なるＤＬ／ＵＬキャリアあるいはサブキャリアによるＦＤＤ  ＡＣＫ／ＮＡＣＫ通信のため、および／あるいは、任意の適切なやり方でＤＬ／ＵＬ通信および対応するＡＣＫ／ＮＡＣＫシグナリングとのためにＴＤＤおよび／あるいはＦＤＤを一般に利用する任意のシステムのために利用されうる。例えば、本明細書において説明される技術は、ＡＣＫ／ＮＡＣＫ伝送が、複数のＤＬサブフレーム、複数のＤＬキャリア、あるいはそれらの組合せのために、１つのＵＬサブフレームで行われるシステムのコンテキストにおいて利用されうる。
【００６３】
既存の無線ネットワークの実施において、ＤＬサブフレームおよびＵＬサブフレームの異なる比に対応する様々なＴＤＤ  ＤＬ／ＵＬ構成が利用されうる。特定の、限定的でない例として、ＬＴＥ  ＴＤＤ構成＃５は、１つのＵＬサブフレーム毎に９つのＤＬサブフレームを備える。従って、このような構成が利用される実例において、９つのＤＬサブフレームに対応するＡＣＫ／ＮＡＣＫフィードバックが、各ＵＬサブフレームにおいて必要とされるだろう。しかし、ＡＣＫ／ＮＡＣＫ情報について十分な品質を提供することが困難であるために、このようなＡＣＫ／ＮＡＣＫ構成は一般に、既存のシステムによってサポートされない。より具体的には、通信システムによってサポート可能なＡＣＫ／ＮＡＣＫビット数Ｍは、一般に、容量と品質との十分な（satisfactory）トレードオフを確実にするために、比較的小さい数（例えば、４）に上限を定められ、それによって、ＴＤＤ  ＤＬ／ＵＬ構成＃５のような構成をサポートされていない状態にする。
【００６４】
従って、層マッピング・モジュール１１４は、より大きな数の対応するＤＬサブフレームのためのＵＬ  ＡＣＫ／ＮＡＣＫ伝送を容易にするために、システム５００に関連付けられたデバイスによって利用される多層（例えば、ＭＩＭＯ）伝送スキームを活用しうる。例えば、制御情報ソース１１２によって提供される制御情報が、異なるサブフレームあるいは異なるキャリアのうちの少なくとも１つによる、１又は複数のＤＬ伝送に対応する１又は複数のＡＣＫ／ＮＡＣＫビットを備え、また、システム５００に関連付けられたＵＬチャネル品質が、多層伝送を可能にするのに十分なほど高い場合、層マッピング・モジュール１１４は、ビット容量、信頼性、および／あるいはその他の測定基準の観点から、向上されたＡＣＫ／ＮＡＣＫ通信を容易にするために、本明細書に説明されたような様々なやり方で動作しうる。
【００６５】
第１の例において、１又は複数のＡＣＫ／ＮＡＣＫビット５１２は、（例えば、ＡＣＫ／ＮＡＣＫ符号化モジュール５２２によって）一緒に（jointly）符号化されうる、また、関連付けられた層のセットから、上記で一般的に説明されたような１又は複数のＡＣＫ／ＮＡＣＫビット５１２のＵＬ  ＭＩＭＯ伝送をスケジューリングするための、１又は複数の層が（例えば、層割当モジュール５２４によって）選択されうる。追加的あるいは代替的に、層割当モジュール５２４は、１又は複数のＡＣＫ／ＮＡＣＫビット５１２を複数のグループに分け、関連付けられた層のセットから、ＡＣＫ／ＮＡＣＫビット５１２のそれぞれのグループのＵＬ  ＭＩＭＯ伝送をスケジューリングするための複数の層を選択しうる。例えば、Ｍ個のＡＣＫ／ＮＡＣＫビット５１２のセットが、以下のように、２≦Ｌ’≦Ｌ個の層に分けられうる。
【数８】
2017005703.tif 000010
【００６６】
ここで、Ｍｌは、それぞれ関連付けられたＤＬサブフレームのための１又は複数のＡＣＫ／ＮＡＣＫに対応するＬ’個の層のセットにおけるｌ番目の層によって運ばれるビットの数である。１つの例において、上記に示されたような、Ｌ’個の層の選択と、Ｍ個のＡＣＫ／ＮＡＣＫビット５１２の実際の分割は、上記に記載されたもののような、複数の要因に依存しうる、また更に、ＴＤＤ  ＤＬ／ＵＬ構成、サブフレーム・バンドリング・ウィンドウにおけるＤＬ伝送の実際の数、コードワードの数などのような、追加的な要因に依存しうる。
【００６７】
別の例において、上記に一般的に説明されたように構築された、ＵＬ  ＡＣＫ／ＮＡＣＫ伝送を受信すると、（例えば、基地局１２０のような）基地局は、それぞれの対応するＡＣＫ／ＮＡＣＫビット５１２がマッピングされる１又は複数の層を決定し、それに基づいて、この基地局はＡＣＫ／ＮＡＣＫビット５１２を適切に処理しうる。
【００６８】
図６を参照すると、様々な態様に従って、無線通信システム内の制御情報のためのＭＣＳ選択および適用を容易にするシステム６００が例示される。図６が例示しているように、システム６００は、制御情報ソース１１２と、層マッピング・モジュール１１４と、トランシーバ１１６とを含みうる。これらは、上記に一般的に説明されるような様々なやり方で動作しうる。更に、システム６００は、変調／符号化モジュール６１０を含みうる。これは、本明細書において一般的に説明されるような層マッピング・モジュール１１４によって、制御情報のためにそれぞれ選択される１又は複数の層で、制御情報ソースによって提供される制御情報の少なくとも一部の伝送のためのＭＣＳを（例えば、ＭＣＳ選択器６１２によって）決定しうる。その後、受信している基地局（例えば、基地局１２０）において、ＵＬ通信で提供された制御情報の少なくとも一部に適用されたＭＣＳが、本明細書において追加的に説明されるように、識別されうる。
【００６９】
１つの態様によると、（例えば、ＰＵＳＣＨデータのような）データおよび（例えば、ＡＣＫ／ＮＡＣＫやＣＱＩ／ＰＭＩなどのような）様々な制御フィールドは、例えば、（例えば、ＱＰＳＫ、１６−ＱＡＭ、６４−ＱＡＭなどのような）単一のシンボルが、データおよび制御の両方ともを含むことができないように、別個の変調シンボルにマッピングされうる。従って、ＭＣＳ選択器６１２および／あるいは変調／符号化モジュール６１０は、様々な基準に基づいて、制御情報のために変調および／あるいは符号化を適用しうる。
【００７０】
第１の特定の限定的でない例において、システム６００によって処理される制御情報は、（例えば、ＣＱＩやＰＭＩなどのような）チャネル品質情報を含み、ＭＣＳ選択器６１２は、チャネル品質情報と共に送信されるデータに関連付けられたチャネル品質情報の少なくとも一部の伝送のためのＭＣＳを選択しうる。従って、例えば、ＣＱＩ／ＰＭＩおよび／あるいはその他の制御情報は、同じ変調次数および／あるいは同じ符号化スキーム（例えば、リード・ミュラー（ＲＭ）符号化やtail-biting畳込符号（ＴＢＣＣ）など）を利用しうる。従って、受信している基地局（例えば、基地局１２０）において、チャネル品質情報およびデータのための伝送内で利用される共通ＭＣＳが識別され、チャネル品質情報を処理するために利用されうる。代替例において、ＣＱＩ／ＰＭＩは、（例えば、関連付けられたＵＬ信号品質が予め定められたしきい値を上回るシナリオなどのような）いくつかの実例において、対応するデータをパンクチャリングすることによって、多重化されたＵＬ伝送において提供されうる。更なる例において、ＣＱＩ／ＰＭＩは、レート・マッチングおよび／あるいはその他任意のやり方で提供されうる。
【００７１】
第２の特定の限定的ではない例において、システム６００によって処理される制御情報は、ＡＣＫ／ＮＡＣＫ情報かランク情報かのうちの少なくとも１つを含みうる。このような例において、ＡＣＫ／ＮＡＣＫおよびＲＩのためのコンステレーションは、ＢＰＳＫ（例えば、１ビットのＡＣＫおよび／あるいはＲＩ）か、ＱＰＳＫ（例えば、２ビットのＡＣＫおよび／あるいはＲＩ）に制限され、符号化およびスクランブリングは、ＡＣＫ／ＮＡＣＫおよび／あるいはＲＩを運ぶ変調シンボルのユークリッド距離が最大になるように実行されうる。従って、例として、ＭＣＳ選択器６１２および／あるいは変調／符号化モジュール６１０に関連付けられたその他の手段は、ＢＰＳＫおよびＱＰＳＫから成るグループからＡＣＫ／ＮＡＣＫ情報およびランク情報のための変調スキームを選択し、ＡＣＫ／ＮＡＣＫ情報およびランク情報に関連付けられた変調コンステレーション間のユークリッド距離が実質的に最大になるように、ＡＣＫ／ＮＡＣＫ情報およびランク情報のための符号化およびスクランブリングを実行しうる。次に、受信している基地局（例えば、基地局１２０）において、ＢＰＳＫあるいはＱＰＳＫと、ＡＣＫ／ＮＡＣＫ情報に関連付けられた変調コンステレーションと、ランク情報に関連付けられた変調コンステレーションとの間のユークリッド距離が実質的に最大になるような、関連付けられた符号化およびスクランブリングとに基づいて変調／符号化モジュール６１０を介して構築される、ＡＣＫ／ＮＡＣＫ情報およびランク情報に関連付けられた変調コンステレーションが識別される。
【００７２】
特定の代替例において、（例えば、複数のコードワードや、ＴＤＤにおける複数のＤＬハイブリッド自動再送要求（ＨＡＲＱ）処理や、ＦＤＤにおけるマルチキャリア動作などをサポートするために）ＡＣＫ／ＮＡＣＫビットの数が２よりも多い場合、復調／符号化モジュール６１０および／あるいはＭＣＳ選択器６１２は、様々なやり方で制御情報のために利用されるＭＣＳを決定しうる。例えば、ＡＣＫ／ＮＡＣＫは、チャネル品質情報のために利用される符号化スキーム（例えば、ＣＱＩおよび／あるいはＰＭＩのために利用される（２０、ｍ）符合など）、ユニークな（ｎ、ｋ）符号化スキーム（例えば、（７、３）符号化スキームおよび／あるいはその他任意の適切なスキーム）、および／あるいは、パリティ符号化を用いないＱＰＳＫ変調を利用しうる。より具体的には、様々な無線ネットワーク実施において、ＱＰＳＫを使用して３ビットが送信されるように、ＡＣＫビット（ｏ０ＡＣＫおよびｏ１ＡＣＫ）が、例えば、ｏ２ＡＣＫ＝（（ｏ０ＡＣｋ＋ｏ１ＡＣＫ）ｍｏｄ２）のような、パリティ符号化を用いて提供される。従って、パリティ・ビットｏ２ＡＣＫは、追加的なＡＣＫ／ＮＡＣＫビットの伝送を可能にするために取り除かれうる。このような例において、スクランブリングおよび符号化が、ユークリッド距離が最大になるように、追加的に実行されうる。更なる例において、１又は複数の上記のオプションの組合せに加えて、任意のその他適切な（複数の）オプションが利用されうる。
【００７３】
同様に、（例えば、８個までの層をサポートするために）ＲＩビットの数が３の場合、ＲＩの符号化は、例えば、チャネル品質情報のために利用される符号化スキームを利用すること、ＲＩのためのユニークな符号化スキームを利用すること、パリティ符号化を用いずにＱＰＳＫ変調を利用すること、および／あるいは、ＡＣＫ／ＮＡＣＫ情報のコンテキストにおいて上記で一般的に説明されたような、その他任意の適切な（複数の）アクションを実行することで、変調／符号化モジュール６１０によって実行されうる。
【００７４】
従って、１つの態様によると、ＭＣＳ選択器６１２および／あるいは、変調／符号化モジュール６１０に関連付けられたその他の手段は、ＡＣＫ／ＮＡＣＫ情報あるいはランク情報の少なくとも一部の伝送のためにチャネル品質情報あるいはプリコーディング情報に関連付けられたＭＣＳを選択することか、予め定められたｎ、ｋの値についての（ｎ、ｋ）符号化スキームに従ってＡＣＫ／ＮＡＣＫ情報あるいはランク情報のうちの少なくとも１つを符号化することか、あるいは、関連付けられたＱＰＳＫコンステレーションを用いて提供されたパリティ・ビットが、追加的なＡＣＫ／ＮＡＣＫ情報あるいはランク情報を運ぶために利用されるように、ＱＰＳＫに従ってＡＣＫ／ＮＡＣＫ情報あるいはランク情報のうちの少なくとも１つを変調することか、のうちの少なくとも１つを実行することによって、ＡＣＫ／ＮＡＣＫ情報あるいはランク情報のうちの少なくとも１つを含む制御情報のためのＭＣＳを選択しうる。
【００７５】
ここで、図７乃至図１１を参照すると、本明細書において説明される様々な態様に従って実行されうる方法体系が例示されている。説明の簡略化のために、方法体系が一連の動作として図示および説明されているが、１又は複数の態様によると、いくつかの動作は、本明細書において図示および説明されたのとは異なる順序で、および／あるいは、そこに含まれるその他の動作と同時に生じうるので、方法体系が動作の順序によって限定されてはいないということが理解および認識されるべきである。例えば、方法体系が、代替的に、状態図におけるような、相互に関連する一連の状態あるいはイベントとして表されうることを当業者は理解および認識するだろう。更に、１又は複数の態様に従って方法体系実施するために、例示された動作の全てが必要とされるわけではない。
【００７６】
図７を参照すると、無線通信システムに関連付けられた１又は複数の層に対して制御情報をマッピングすることを容易にする方法体系７００が例示されている。方法体系７００は、例えば、（例えば、ＵＥ１１０のような）モバイル・デバイスおよび／あるいは、その他任意の適切なネットワーク・エンティティによって実行されうるということが理解されるべきである。方法体系７００は、ブロック７０２において開始する。ここにおいて、１又は複数のネットワーク・エンティティ（例えば、基地局１２０）に送信される制御情報が（例えば、制御情報ソース１１２によって）識別される。ブロック７０４において、ＵＬ  ＭＩＭＯ伝送のために指定された層のセットに関する情報が取得される。次に、ブロック７０６において、ブロック７０２において識別された制御情報の少なくとも一部のＵＬ  ＭＩＭＯ伝送をスケジューリングするためのそれぞれの層が、ブロック７０４において識別された層のセットから（例えば、層マッピング・モジュール１１４によって）選択される。
【００７７】
ブロック７０６において説明された動作を完了すると、方法体系７００は終了しうる。代替的に、方法体系７００はオプションとして、終了する前にブロック７０８へ進みうる。ここにおいて、（例えば、層マッピング・モジュール１１４における層選択モジュール４２２によって）層のセットにおけるそれぞれの層での伝送のためにスケジューリングされた制御情報に、それぞれのオフセットが（例えば、オフセット選択モジュール４２６によって）適用される。
【００７８】
ここで、図８を参照すると、伝送のためのＡＣＫ／ＮＡＣＫビット（例えば、ＡＣＫ／ＮＡＣＫビット５１２）の伝送を準備するための方法体系８００のフロー図が例示されている。方法体系８００は、例えば、ＵＥおよび／あるいはその他任意の適切なネットワーク・エンティティによって実行されうる。方法体系８００は、ブロック８０２において開始する。ここにおいて、異なるサブフレームおよび／あるいはキャリアによる１又は複数のＤＬ伝送に対応する１又は複数のＡＣＫ／ＮＡＣＫビットが識別される。次に、ブロック８０４において、ＵＬ  ＭＩＭＯ伝送のために指定された層のセットに関する情報が取得される。
【００７９】
ブロック８０４において説明された動作が完了すると、方法体系８００は、終了する前に、ブロック８０６乃至８０８および／あるいはブロック８１０乃至８１２において説明される動作を実行しうる。ブロック８０６において、ブロック８０２において識別された１又は複数のＡＣＫ／ＮＡＣＫビットが（例えば、ＡＣＫ／ＮＡＣＫ符号化モジュール５２２によって）一緒に符号化される。ブロック８０８において、１又は複数のＡＣＫ／ＮＡＣＫビットのＵＬ  ＭＩＭＯ伝送をスケジューリングするための１又は複数の層が、ブロック８０４において識別された層のセットから（例えば、層割当モジュール５２４によって）選択される。代替的に、ブロック８１０において、ブロック８２０において識別された１又は複数のＡＣＫ／ＮＡＣＫビットが複数のグループに分けられる。その後、ブロック８１２において、ブロック８１０において生成されたような１又は複数のＡＣＫ／ＮＡＣＫビットのそれぞれのグループのＵＬ  ＭＩＭＯ伝送をスケジューリングするための複数の層が、ブロック８０４において識別された層のセットから（例えば、層割当モジュール５２４によって）選択される。
【００８０】
図９は、ＭＩＭＯ通信システムにおいて送信される情報のための層マッピング、変調、および符号化を容易にする方法体系９００を例示する。方法体系９００は、例えば、モバイル端末デバイスおよび／あるいはその他任意の適切なネットワーク・エンティティによって実行されうる。方法体系９００は、ブロック９０２において開始する。ここにおいて、１又は複数のネットワーク・エンティティに送信される制御情報が識別される。次に、ブロック９０４において、ＵＬ  ＭＩＭＯ伝送のために指定された層のセットに関する情報が取得される。ブロック９０６において、ブロック９０２において識別された制御情報の少なくとも一部のＵＬ  ＭＩＭＯ伝送をスケジューリングするためのそれぞれの層が、ブロック９０４において識別された層のセットから選択される。方法体系９００はその後、ブロック９０８において終了しうる。ここにおいて、ブロック９０６において制御情報のためにそれぞれ選択された１又は複数の層で、ブロック９０２において識別された制御情報の少なくとも一部の伝送のためのＭＣＳが（例えば、変調／符号化モジュール６１０によって）決定される。
【００８１】
次に、図１０を参照すると、無線通信環境内で受信される多層伝送を処理するための第１の方法体系１０００が例示されている。方法体系１０００が、例えば（基地局１２０のような）基地局および／あるいはその他任意の適切なネットワーク・エンティティによって実行されうることが理解されるべきである。方法体系１０００は、ブロック１００２において開始する。ここにおいて、複数の層にわたって、（例えば、ＵＥ１１０のような）ネットワーク・デバイスによって提供された伝送が（例えば、トランシーバ１１６によって）識別される。ブロック１００４において、制御情報がマッピングされている、ブロック１００２において識別された伝送に対応するそれぞれの層が（例えば、層識別モジュール１２２によって）識別される。方法体系１０００はその後、ブロック１００６において終了しうる。ここにおいて、ブロック１００４において識別された制御情報の少なくとも一部は、ブロック１００４において制御情報がマッピングされていると決定されたそれぞれの層で（例えば、トランシーバ１１６および／あるいは制御処理モジュール１２４によって）受信される。
【００８２】
図１１は、無線通信環境内で受信された多層伝送を処置するための第２の方法体系１１００を例示する。方法体系１１００は、例えば、ｅＮＢおよび／あるいはその他任意の適切なネットワーク・エンティティによって実行されうる。方法体系１１００は、ブロック１１０２において開始する。ここにおいて、複数の層にわたって、ネットワーク・デバイスによって提供された伝送が識別される。ブロック１１０４において、制御情報がマッピングされている、ブロック１１０２において識別された伝送に対応するそれぞれの層が決定される。次に、ブロック１１０６において、ブロック１１０４において決定された、制御情報がマッピングされているそれぞれの層で制御情報に適用されたオフセットが識別される。方法体系１１００はその後、ブロック１１０８において終了しうる。ここにおいて、ブロック１１０４において識別された制御情報の少なくとも一部が、ブロック１１０６において識別された制御情報に適用されたオフセットに従って受信されうる。
【００８３】
次に図１２および図１３を参照すると、本明細書において説明される様々な態様を容易にしうるそれぞれの装置１２００乃至１３００が例示されている。装置１２００乃至１３００は、機能ブロックを含むように表され、これらは、プロセッサ、ソフトウェア、あるいはそれらの組合せ（例えば、ファームウェア）によって実施される機能を表す機能ブロックでありうるということが理解されるべきである。
【００８４】
最初に図１２を参照すると、無線通信システムにおける制御シグナリングおよびデータのＵＬ  ＭＩＭＯ通信を容易にする装置１２００が例示されている。装置１２００は、（例えば、ＵＥ１１０のような）ＵＥおよび／あるいはその他任意の適切なネットワーク・エンティティによって実現されうる、また、１又は複数のアップリンク多層伝送において送信される制御シグナリングを識別するためのモジュール１２０２と、制御シグナリングの少なくとも一部をスケジューリングするための、１又は複数のアップリンク多層伝送に関連付けられた、それぞれの層を選択するためのモジュール１２０４とを含みうる。
【００８５】
図１３は、無線通信システムにおいて制御シグナリングおよびデータのＵＬ  ＭＩＭＯ通信を容易にする装置１３００を例示する。装置１３００は、（例えば、基地局１２０のような）基地局および／あるいはその他任意の適切なネットワーク・エンティティによって実現されうる、また、ネットワーク・デバイスによって提供されるアップリンク多層伝送を識別するためのモジュール１３０２と、アップリンク多層伝送における、制御シグナリングを含む１又は複数の層を決定するためのモジュール１３０４と、アップリンク多層伝送における１又は複数の決定された層に含まれる制御シグナリングの少なくとも一部を処理するためのモジュール１３０６とを含みうる。
【００８６】
図１４は、本明細書において説明される機能の様々な態様を実施するために利用されるシステム１４００のブロック図である。１つの例において、システム１４００は、モバイル端末１４０２を含む。例示されたように、モバイル端末１４０２は、１又は複数のアンテナ１４０８によって、（複数の）信号を、１又は複数の基地局１４０４から受信し、１又は複数の基地局１４０４に送信しうる。更に、モバイル端末１４０２は、（複数の）アンテナ１４０８から情報を受信する受信機１４１０を備えうる。１つの例において、受信機１４１０は、受信された情報を復調する復調器（Ｄｅｍｏｄ）１４１２に動作可能なように関連付けられうる。復調されたシンボルはその後、プロセッサ１４１４によって分析されうる。プロセッサ１４１４は、モバイル端末１４０２に関連するデータおよび／あるいはプログラム・コードを格納しうるメモリ１４１６に結合されうる。１つの例において、プロセッサ１４１４は追加的に、方法体系７００乃至９００および／あるいはその他同様の適切な方法体系を実行するように動作可能でありうる。モバイル端末１４０２は更に、（複数の）アンテナ１４０８を介する、送信機１４２０による伝送のために信号を多重化しうる変調器１４１８を含みうる。
【００８７】
図１５は、本明細書において説明された機能の様々な態様を実施するために利用されうる別のシステム１５００のブロック図である。１つの例において、システム１５００は、基地局あるいはノードＢ１５０２を含む。例示されるように、ノードＢ１５０２は、（複数の）信号を、１又は複数の受信（Ｒｘ）アンテナ１５０６によって１又は複数のＵＥ１５０４から受信し、１又は複数の送信（Ｔｘ）アンテナ１５０８によって１又は複数のＵＥ１５０４に送信する。更に、ノードＢ１５０２は、（複数の）受信アンテナ１５０６から情報を受信する受信機１５１０を備えうる。１つの例において、受信機１５１０は、受信された情報を復調する復調器（Ｄｅｍｏｄ）１５１２に動作可能なように関連付けられうる。復調されたシンボルはその後、プロセッサ１５１４によって分析されうる。プロセッサ１５１４は、コード・クラスタ、アクセス端末割当、それらに関連するルックアップ・テーブル、ユニークなスクランブリング・シーケンス、および／あるいはその他適切なタイプの情報に関連する情報を格納しうるメモリ１５１６に結合されうる。１つの例において、プロセッサ１５１４は更に、方法体系１０００乃至１１００および／あるいはその他の同様かつ適切な方法体系を実行するように動作可能でありうる。ノードＢ１５０２は更に、（複数の）送信アンテナ１５０８を介する、送信機１５２０による伝送のために信号を多重化しうる変調器１５１８を含みうる。
【００８８】
ここで図１６を参照すると、様々な態様に従って、無線多元接続通信システムの例示が提供される。１つの例において、アクセス・ポイント１６００（ＡＰ）は、複数のアンテナ・グループを含む。図１６に例示されたように、１つのアンテナ・グループはアンテナ１６０４、１６０６を含み、別のグループはアンテナ１６０８、１６１０を含み、また、別のグループはアンテナ１６１２、１６１４を含みうる。図１６には、各アンテナ・グループに対してアンテナが２つだけ図示されているが、各アンテナ・グループに対してより多いあるいはより少ないアンテナが利用されうることが理解されるべきである。別の例において、アクセス端末１６１６は、アンテナ１６１２、１６１４と通信することができる。ここで、アンテナ１６１２、１６１４は、順方向リンク１６２０によってアクセス端末１６１６に情報を送信し、逆方向リンク１６１８によってアクセス端末１６１６から情報を受信する。追加的および／あるいは代替的に、アクセス端末１６２２は、アンテナ１６０６、１６０８と通信することができる。ここで、アンテナ１６０６、１６０８は、順方向リンク１６２６によってアクセス端末１６２２に情報を送信し、逆方向リンク１６２４によってアクセス端末１６２２から情報を受信する。周波数分割二重通信システムにおいて、通信リンク１６１８、１６２０、１６２４、１６２６は、通信のために異なる周波数を使用しうる。例えば、順方向１６２０は、逆方向リンク１６１８によって使用されるのとは異なる周波数を使用しうる。
【００８９】
アンテナの各グループおよび／あるいはそれらが通信するように設計されているエリアは、アクセス・ポイントのセクタと称されうる。１つの態様によると、アンテナ・グループは、アクセス・ポイント１６００によってカバーされたエリアのセクタにおけるアクセス端末に通信するように設計されうる。順方向リンク１６２０、１６２６による通信において、アクセス・ポイント１６００の送信しているアンテナは異なるアクセス端末１６１６、１６２２のための、順方向リンクの信号対雑音比を向上させるために、ビームフォーミングを利用しうる。更に、カバレッジにわたってランダムに散在するアクセス端末に送信するためにビームフォーミングを使用するアクセス・ポイントは、近隣のセルにおけるアクセス端末に対して、単一のアンテナによって全てのアクセス端末に送信するアクセス・ポイントよりも少ない干渉しかもたらさない。
【００９０】
例えば、アクセス・ポイント１６００のようなアクセス・ポイント１６００は、端末と通信するために使用される固定局でありうる、また、基地局、ｅＮＢ、アクセス・ネットワーク、および／あるいはその他適切な用語でも称されうる。更に、例えば、アクセス端末１６１６、１６２２のようなアクセス端末は、モバイル端末、ユーザ機器、無線通信デバイス、端末、無線端末、および／あるいはその他適切な用語でも称されうる。
【００９１】
ここで図１７を参照すると、本明細書において説明された様々な態様が機能しうる、実例的な無線通信システム１７００を例示するブロック図が提供されている。１つの例において、システム１７００は、送信機システム１７１０および受信機システム１７５０を含む多重入力多重出力（ＭＩＭＯ）システムである。しかし、送信機システム１７１０および／あるいは受信機システム１７５０が、多重入力単一出力システムに適用されることができ、ここにおいて、例えば、（例えば、基地局の）複数の送信アンテナは、１又は複数のシンボル・ストリームを単一のアンテナ・デバイス（例えば、モバイル局）に送信できるということが理解されるべきである。更に、本明細書において説明された送信機システム１７１０および／あるいは受信機システム１７５０の態様は、単一出力単一入力アンテナ・システムとの接続において利用されうるということが理解されるべきである。
【００９２】
１つの態様によると、多数のデータ・ストリームのためのトラフィック・データは、送信機システム１７１０において、データ・ソース１７１２から送信（ＴＸ）データ・プロセッサ１７１４に提供される。１つの例において、各データ・ストリームは、それぞれの送信アンテナ１７２４によって送信されうる。更に、ＴＸデータ・プロセッサ１７１４は、符号化されたデータを提供するために、それぞれのデータ・ストリーム各々のために選択された特定の符号化スキームに基づいて、各データ・ストリームのためのトラフィック・データをフォーマット、エンコード、インタリーブしうる。１つの例において、各データ・ストリームのための符号化されたデータはその後、ＯＦＤＭ技術を使用して、パイロット・データと共に多重化されうる。パイロット・データは、周知のやり方で処理される周知のデータ・パターンでありうる。更にパイロット・データは、チャネル応答を推定するために、受信機システム１７５０において使用されうる。送信機１７１０に戻ると、各データ・ストリームについての多重化されたパイロットおよび符号化されたデータは、変調シンボルを提供するために、それぞれのデータ・ストリーム各々のために選択された特定の変調スキーム（例えば、ＢＰＳＫ、ＱＳＰＫ、Ｍ−ＰＳＫ、あるいはＭ−ＱＡＭ）に基づいて変調されうる。１つの例において、各データ・ストリームについてのデータ・レート、符号化、変調は、プロセッサ１７３０で実行されるおよび／あるいはそれによって提供される命令群によって決定されうる。
【００９３】
次に、全てのデータ・ストリームのための変調シンボルは、ＴＸ  ＭＩＭＯプロセッサ１７２０に提供されうる、これは更に、（例えば、ＯＦＤＭのための）変調シンボルを処理しうる。ＴＸ  ＭＩＭＯプロセッサ１７２０はその後、ＮＴ個のトランシーバ１７２２ａ乃至１７２２ｔに、ＮＴ個の変調シンボル・ストリームを提供しうる。１つの例において、各トランシーバ１７２２は、それぞれのシンボル・ストリームを受信および処理して、１又は複数のアナログ信号を提供しうる。各トランシーバ１７２２はその後、そのアナログ信号を更に調整（例えば、増幅、フィルタ、アップコンバート）して、ＭＩＭＯチャネルによる伝送に適する変調された信号を提供しうる。従って、トランシーバ１７２２ａ乃至１７２２ｔからのＮＴ個の変調された信号はその後、ＮＴ個のアンテナ１７２４ａ乃至１７２４ｔのそれぞれから送信されうる。
【００９４】
別の態様によると、送信された変調された信号は、ＮＲ個のアンテナ１７５２ａ乃至１７５２ｒによって、受信機システム１７５０において受信されうる。各アンテナ１７５２から受信された信号はその後、それぞれのトランシーバ１７５４に提供されうる。１つの例において、各トランシーバ１７５４は、それぞれの受信された信号を調整（例えば、フィルタ、増幅、およびダウンコンバート）して、調整された信号をデジタル化して、サンプルを提供し、その後サンプルを処理して、対応する「受信された」シンボル・ストリームを提供しうる。ＲＸ  ＭＩＭＯ／データ・プロセッサ１７６０はその後、特定の受信機処理技術に基づいて、ＮＲ個の受信されたシンボル・ストリームを受信および処理して、ＮＴ個の「検出された」シンボル・ストリームを提供しうる。１つの例において、各検出されたシンボル・ストリームはその後、少なくとも部分的に、各検出されたシンボル・ストリームを復調、デインタリーブ、およびデコードすることによって、各シンボル・ストリームを処理して、対応するデータ・ストリームのためのトラフィック・データを復元しうる。従って、ＲＸプロセッサ１７６０による処理は、送信機システム１７１０におけるＴＸ  ＭＩＭＯプロセッサ１７２０およびＴＸデータ・プロセッサ１７１４によって実行される処理に対して相補的でありうる。ＲＸプロセッサ１７６０は更に、処理されたシンボル・ストリームをデータ・シンク１７６４に提供しうる。
【００９５】
１つの態様によると、ＲＸプロセッサ１７６０によって生成されたチャネル応答推定は、受信器において空間／時間処理を実行すること、電力レベルを調節すること、変調レートあるいはスキームを変更すること、および／あるいはその他適切なアクションを行うために使用されうる。更に、ＲＸプロセッサ１７６０は更に、例えば、検出されたシンボル・ストリーム信号対雑音および干渉比（ＳＮＲ）のようなチャネル特性を推定しうる。ＲＸプロセッサ１７６０はその後、推定されたチャネル特性を、プロセッサ１７７０に提供しうる。１つの例において、ＲＸプロセッサ１７６０および／あるいはプロセッサ１７７０は更に、システムについての「動作」ＳＮＲの推定を導出しうる。処理１７７０はその後、チャネル状態情報（ＣＳＩ）を提供しうる。これは、通信リンクに関する情報および／あるいは受信されたデータ・ストリームを備えうる。この情報は、例えば、動作ＳＮＲを含みうる。ＣＳＩはその後、ＴＸデータ・プロセッサ１７１８によって処理され、変調器１７８０によって変調され、トランシーバ１７５４ａ乃至１７５４ｒによって調整され、送信機システム１７１０に送信し返される。それに加えて、受信機システム１７５０におけるデータ・ソース１７１６は、ＴＸデータ・プロセッサ１７１８によって処理される追加的なデータを提供しうる。
【００９６】
送信機システム１７１０に戻ると、受信機システム１７５０からの変調された信号はその後、アンテナ１７２４によって受信され、トランシーバ１７２２によって調整され、復調器１７４０によって復調され、ＲＸデータ・プロセッサ１７４２によって処理されて、受信機システム１７５０によって報告されたＣＳＩを復元しうる。１つの例において、報告されたＣＳＩはその後、プロセッサ１７３０に提供され、１又は複数のデータ・ストリームのために使用される符号化および変調スキームと、データ・レートとを決定するために使用されうる。決定された符号化および変調スキームは、受信機システム１７５０に対する後の伝送における量子化および／あるいは使用のために、トランシーバ１７２２に提供されうる。追加的および／あるいは代替的に、報告されたＣＳＩは、プロセッサ１７３０によって使用され、ＴＸデータ・プロセッサ１７１４およびＴＸ  ＭＩＭＯプロセッサ１７２０のための様々な制御を生成しうる。別の例において、ＣＳＩおよび／あるいはＲＸデータ・プロセッサ１７４２によって処理されたその他の情報は、データ・シンク１７４４に提供されうる。
【００９７】
１つの例において、送信機システム１７１０におけるプロセッサ１７３０と、受信機システム１７５０におけるプロセッサ１７７０とは、それぞれのシステムにおける動作を指示する。更に、送信機システム１７１０におけるメモリ１７３２と、送信機システム１７５０におけるメモリ１７７２とは、プロセッサ１７３０、１７７０のそれぞれによって使用されるプログラム・コードおよびデータのための記憶装置を提供しうる。更に、受信システム１７５０において、様々な処理技術が、ＮＲ個の受信された信号を処理して、ＮＴ個の送信されたシンボル・ストリームを検出するために使用されうる。これらの受信機処理技術は、等化技術とも称されうる空間および時空間受信機処理技術、および／あるいは、「逐次干渉除去」あるいは「逐次除去」受信機処理技術とも称されうる「逐次ヌリング／等化および干渉除去」受信機処理技術を含みうる。
【００９８】
本明細書において説明される態様は、ハードウェア、ソフトウェア、ファームウェア、ミドルウェア、マイクロコード、あるいはそれら任意の組合せによって実施されうると理解されあるべきである。このシステムおよび／あるいは方法は、ソフトウェア、ファームウェア、ミドルウェアあるはマイクロコード、プログラム・コードあるいはコード・セグメントにおいて実施される場合、記憶装置コンポーネントのような、機械可読媒体に格納されうる。コード・セグメントは、手順か、機能か、サブプログラムか、プログラムか、ルーティンか、サブルーティンか、モジュールか、ソフトウェア・パッケージか、クラスか、あるいは、命令群、データ、又はプログラム文の任意の組合せかを表しうる。コード・セグメントは、情報、データ、引数、パラメータ、又はメモリ・コンテンツを、パスおよび／あるいは受信することによって、別のコード・セグメントあるいはハードウェア回路に結合されうる。情報、引数、パラメータ、データなどが、メモリ共有、メッセージ・パッシング、トークン・パッシング、ネットワーク伝送などを含む任意の適切な手段を使用して、パス、フォワード、又は送信されうる。
【００９９】
ソフトウェアにおける実施では、本明細書において説明される技術は、本明細書において説明される機能を実行するモジュール（例えば、手順や機能など）を用いて実施される。ソフトウェア・コードは、メモリ・ユニットに格納され、プロセッサによって実行されうる。メモリ・ユニットは、プロセッサ内に、あるいはプロセッサの外側に実現されうる。この実例において、メモリ・ユニットは当該技術分野において周知の様々な手段によって、通信可能なようにプロセッサに結合されうる。
【０１００】
上記で説明された内容は、１又は複数の態様の例を含む。もちろん、前述の態様を説明するために、コンポーネントあるいは方法体系の想到しうる全ての組合せを説明するということは不可能であるが、様々な態様からなる多くの更なる組合せあるいは置換えが可能であるということを当業者は認識しうる。従って、説明された態様は、添付の請求項の精神および範囲内に含まれるような変更、変形、およびバリエーションを包含するように意図されている。更に、用語「含む（include）」は、詳細な説明あるいは請求項のどちらかにおいて使用される範囲内で、このような用語は、用語「備える」と類似して、「備える」が請求項において、遷移語として用いられる場合のように包括的であることが意図されている。更に、用語「又は／あるいは（ｏｒ）」は、詳細な説明あるいは特許請求の範囲の何れかにおいて使用される場合に、「非排他的なあるいは／又は」を意味するよう意図されている。
【図１】
2017005703.tif 000011
【図３】
2017005703.tif 000012
【図４】
2017005703.tif 000013
【図５】
2017005703.tif 000014
【図６】
2017005703.tif 000015
【図７】
2017005703.tif 000016
【図８】
2017005703.tif 000017
【図９】
2017005703.tif 000018
【図１０】
2017005703.tif 000019
【図１１】
2017005703.tif 000020
【図１２】
2017005703.tif 000021
【図１３】
2017005703.tif 000022
【図１４】
2017005703.tif 000023
【図１５】
2017005703.tif 000024
【図１６】
2017005703.tif 000025
【図１７】
2017005703.tif 000026
【図２】
2017005703.tif 000027
【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
１又は複数のネットワーク・エンティティに送信される制御情報を識別することと、
アップリンク多入力多出力（ＭＩＭＯ）伝送のために指定された複数の層に関する情報を取得することと、
第１のタイプの前記制御情報のアップリンクＭＩＭＯ伝送をスケジューリングするための、前記複数の層を選択すること、ここにおいて、前記第１のタイプの制御情報は、１又は複数のダウンリンク伝送に対応する１又は複数のアクノレッジメント（ＡＣＫ）／ネガティブ・アクノレッジメント（ＮＡＣＫ）ビットを備える、と、
第２のタイプの前記制御情報のアップリンクＭＩＭＯ伝送をスケジューリングするための、前記複数の層からの唯一の層を選択することと、ここにおいて、前記第２のタイプの制御情報は、チャネル状態情報（ＣＳＩ）を備える、と、
１又は複数のアンテナを介して、前記選択された複数の層および前記選択された唯一の層上で、前記制御情報の少なくとも一部を送信することと、
を備える方法。
【請求項２】
前記唯一の層を前記選択することは、
前記複数の層における前記層のうちで、最も低い符号レートあるいは変調次数を有していると決定された、前記複数の層における層を識別することと、
前記第２のタイプの制御情報のアップリンクＭＩＭＯ伝送をスケジューリングするための、前記層を選択することと
を備える請求項１記載の方法。
【請求項３】
前記唯一の層を前記選択することは、
前記複数の層における前記層のうちで、最も高い符号レートあるいは変調次数を有していると決定された、前記複数の層における層を識別することと、
前記第２のタイプの制御情報のアップリンクＭＩＭＯ伝送をスケジューリングするための、前記層を選択することと
を備える請求項１記載の方法。
【請求項４】
前記複数の層におけるそれぞれの層での伝送のためにスケジューリングされた制御情報に、それぞれのオフセットを適用することを更に備える請求項１記載の方法。
【請求項５】
前記適用することは、前記複数の層におけるそれぞれの層での伝送のためにスケジューリングされた前記制御情報の少なくとも一部に、層に依存しないオフセットを適用すること
を備える請求項４記載の方法。
【請求項６】
前記適用することは、
前記複数の層におけるそれぞれの層での伝送のためにスケジューリングされた前記制御情報の少なくとも一部に、それぞれの可変オフセットを適用することと、
前記制御情報の伝送がスケジューリングされた層の数または前記制御情報の伝送がスケジューリングされたそれぞれの層の特性のうちの少なくとも１つに基づいて、前記それぞれの可変オフセットのための値を決定することと
を備える請求項４記載の方法。
【請求項７】
前記制御情報は、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットを備え、
前記選択することは、前記１又は複数のＡＣＫ／ＮＡＣＫビットを一緒に符号化することと、前記１又は複数のＡＣＫ／ＮＡＣＫビットのアップリンクＭＩＭＯ伝送をスケジューリングするための、前記複数の層からの１又は複数の層を選択することと
を備える請求項１記載の方法。
【請求項８】
前記制御情報は、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットを備え、
前記選択することは、前記１又は複数のＡＣＫ／ＮＡＣＫビットを複数のグループに分けることと、前記ＡＣＫ／ＮＡＣＫビットのそれぞれのグループのアップリンクＭＩＭＯ伝送をスケジューリングするための、前記複数の層からの１又は複数の層を選択することと
を備える請求項１記載の方法。
【請求項９】
前記制御情報のためにそれぞれ選択された１又は複数の層での、前記制御情報の少なくとも一部の伝送のための変調および符号化スキーム（ＭＣＳ）を決定することを更に備える請求項１記載の方法。
【請求項１０】
前記制御情報は、アクノレッジメント（ＡＣＫ）／ネガティブ・アクノレッジメント（ＮＡＣＫ）情報およびランク情報を含み、
前記決定することは、
二相位相変調（ＢＰＳＫ）および四相位相変調（ＱＰＳＫ）から成るグループから、前記ＡＣＫ／ＮＡＣＫ情報およびランク情報のための変調スキームを選択することと、
前記ＡＣＫ／ＮＡＣＫ情報および前記ランク情報に関連付けられた変調コンステレーション間のユークリッド距離が実質的に最大になるような、前記ＡＣＫ／ＮＡＣＫ情報およびランク情報のための符号化およびスクランブリングを実行することと
を備える請求項９記載の方法。
【請求項１１】
前記制御情報が、アクノレッジメント（ＡＣＫ）／ネガティブ・アクノレッジメント（ＮＡＣＫ）情報あるいはランク情報の少なくとも１つを含み、
前記決定することは、
ＡＣＫ／ＮＡＣＫ情報あるいはランク情報の少なくとも一部の伝送のために、チャネル品質情報あるいはプリコーディング情報に関連付けられたＭＣＳを選択することか、
予め定められたｎ、ｋの値についての（ｎ、ｋ）符号化スキームに従って、ＡＣＫ／ＮＡＣＫ情報あるいはランク情報のうちの少なくとも１つを符号化することか、あるいは
関連付けられた四相位相変調（ＱＰＳＫ）コンステレーションによって提供されたパリティ・ビットが、追加的なＡＣＫ／ＮＡＣＫ情報あるいはランク情報を運ぶために利用されるように、ＱＰＳＫに従ってＡＣＫ／ＮＡＣＫ情報あるいはランク情報のうちの少なくとも１つを変調することか
のうちの少なくとも１つを実行することによって前記制御情報のためのＭＣＳを選択することを備える請求項９記載の方法。
【請求項１２】
前記制御情報は、チャネル品質情報を含み、
前記決定することは、前記チャネル品質情報と共に送信されるデータに関連付けられた前記チャネル品質情報の少なくとも一部の伝送のためのＭＣＳを選択することを備える請求項９記載の方法。
【請求項１３】
前記複数の層は、空間層あるいはコードワードのうちの少なくとも１つに対応する請求項１記載の方法。
【請求項１４】
１又は複数のネットワーク・エンティティに送信される制御情報と、アップリンク多入力多出力（ＭＩＭＯ）伝送のために指定された複数の層とに関するデータを格納するメモリと、
第１のタイプの前記制御情報のアップリンクＭＩＭＯ伝送をスケジューリングするための、前記複数の層を選択すること、ここにおいて、前記第１のタイプの制御情報は、１又は複数のダウンリンク伝送に対応する１又は複数のアクノレッジメント（ＡＣＫ）／ネガティブ・アクノレッジメント（ＮＡＣＫ）ビットを備える、と、
第２のタイプの前記制御情報のアップリンクＭＩＭＯ伝送をスケジューリングするための、前記複数の層からの唯一の層を選択すること、ここにおいて、前記第２のタイプの制御情報は、チャネル状態情報（ＣＳＩ）を備える、と、
を行うように構成されたプロセッサと、
１又は複数のアンテナを介して、前記選択された複数の層および前記選択された唯一の層上で、前記制御情報の少なくとも一部を送信するための送信機と
を備える無線通信装置。
【請求項１５】
前記プロセッサは更に、
前記複数の層における前記層のうちで、最も低い符号レートあるいは変調次数を有していると決定された、前記複数の層における層を識別し、
前記第２のタイプの制御情報のアップリンクＭＩＭＯ伝送をスケジューリングするための、前記層を選択する
ように構成される請求項１４記載の無線通信装置。
【請求項１６】
前記プロセッサは更に、
前記複数の層における前記層のうちで、最も高い符号レートあるいは変調次数を有していると決定された、前記複数の層における層を識別し、
前記第２のタイプの制御情報のアップリンクＭＩＭＯ伝送をスケジューリングするための、前記層を選択する
ように構成される請求項１４記載の無線通信装置。
【請求項１７】
前記プロセッサは更に、前記複数の層におけるそれぞれの層での伝送のためにスケジューリングされた制御情報に、それぞれのオフセットを適用するように構成される請求項１４記載の無線通信装置。
【請求項１８】
前記メモリは更に、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットに関するデータを格納し、
前記プロセッサは更に、
前記１又は複数のＡＣＫ／ＮＡＣＫビットを一緒に符号化すること、および、前記１又は複数のＡＣＫ／ＮＡＣＫビットのアップリンクＭＩＭＯ伝送をスケジューリングするための、前記複数の層からの１又は複数の層を選択することか、
前記１又は複数のＡＣＫ／ＮＡＣＫビットを複数のグループに分けること、および、前記ＡＣＫ／ＮＡＣＫビットのそれぞれのグループのアップリンクＭＩＭＯ伝送をスケジューリングするための、前記複数の層からの複数の層を選択することか
のうちの少なくとも１つを実行するように構成される請求項１４記載の無線通信装置。
【請求項１９】
前記プロセッサは更に、前記制御情報のためにそれぞれ選択された１又は複数の層での前記制御情報の少なくとも一部の伝送のための、変調および符号化スキーム（ＭＣＳ）を決定するように構成される請求項１４記載の無線通信装置。
【請求項２０】
前記メモリは更に、アクノレッジメント（ＡＣＫ）／ネガティブ・アクノレッジメント（ＮＡＣＫ）およびランク情報に関するデータを格納し、
前記プロセッサは更に、二相位相変調（ＢＰＳＫ）および四相位相変調（ＱＰＳＫ）から成るグループから、前記ＡＣＫ／ＮＡＣＫ情報およびランク情報のための変調スキームを選択し、
前記ＡＣＫ／ＮＡＣＫ情報および前記ランク情報に関連付けられた変調コンステレーション間のユークリッド距離が実質的に最大になるような、前記ＡＣＫ／ＮＡＣＫ情報およびランク情報のための符号化およびスクランブリングを実行する
ように構成される請求項１９記載の無線通信装置。
【請求項２１】
前記メモリは更に、アクノレッジメント（ＡＣＫ）／ネガティブ・アクノレッジメント（ＮＡＣＫ）あるいはランク情報のうちの少なくとも１つに関するデータを格納し、
前記プロセッサは更に、
ＡＣＫ／ＮＡＣＫ情報あるいはランク情報の少なくとも一部の伝送のために、チャネル品質情報あるいはプリコーディング情報に関連付けられたＭＣＳを選択することか、
予め定められたｎ、ｋの値についての（ｎ、ｋ）符号化スキームに従って、ＡＣＫ／ＮＡＣＫ情報あるいはランク情報のうちの少なくとも１つを符号化することか、あるいは
関連付けられた四相位相変調（ＱＰＳＫ）コンステレーションによって提供されたパリティ・ビットが、追加的なＡＣＫ／ＮＡＣＫ情報あるいはランク情報を運ぶために利用されるように、ＱＰＳＫに従ってＡＣＫ／ＮＡＣＫ情報あるいはランク情報のうちの少なくとも１つを変調することか
のうちの少なくとも１つを実行することによって前記制御情報のためのＭＣＳを選択するように構成される請求項１９記載の無線通信装置。
【請求項２２】
前記メモリは更に、チャネル品質情報に関するデータを格納し、
前記プロセッサは更に、前記チャネル品質情報と共に送信されるデータに関連付けられた前記チャネル品質情報の少なくとも一部の伝送のためのＭＣＳを選択するように構成される請求項１９記載の無線通信装置。
【請求項２３】
前記複数の層は、空間層あるいはコードワードのうちの少なくとも１つに対応する請求項１３記載の無線通信装置。
【請求項２４】
１又は複数のアップリンク多層伝送において送信される制御情報を識別する手段と、
アップリンク多入力多出力（ＭＩＭＯ）伝送のために指定された複数の層に関する情報を取得する手段と、
第１のタイプの前記制御情報のアップリンクＭＩＭＯ伝送をスケジューリングするための、前記複数の層を選択する手段、ここにおいて、前記第１のタイプの制御情報は、１又は複数のダウンリンク伝送に対応する１又は複数のアクノレッジメント（ＡＣＫ）／ネガティブ・アクノレッジメント（ＮＡＣＫ）ビットを備える、と、
第２のタイプの前記制御情報のアップリンクＭＩＭＯ伝送をスケジューリングするための、前記複数の層からの唯一の層を選択する手段、ここにおいて、前記第２のタイプの制御情報は、チャネル状態情報（ＣＳＩ）を備える、と、
１又は複数のアンテナを介して、前記選択された複数の層および前記選択された唯一の層上で、前記制御情報の少なくとも一部を送信する手段と
を備える装置。
【請求項２５】
それぞれの選択された層での伝送のためにスケジューリングされた制御シグナリングに、それぞれのオフセットを適用する手段を更に備える請求項２４記載の装置。
【請求項２６】
前記制御シグナリングは、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットを備え、
前記選択する手段は、
前記１又は複数のＡＣＫ／ＮＡＣＫビットを一緒に符号化する手段、および、前記１又は複数のＡＣＫ／ＮＡＣＫビットをスケジューリングするための、前記１又は複数のアップリンク多層伝送に関連付けられた１又は複数の層を選択する手段か、あるいは、
前記１又は複数のＡＣＫ／ＮＡＣＫビットを複数のグループに分ける手段、および、前記ＡＣＫ／ＮＡＣＫビットのそれぞれのグループをスケジューリングするための、前記１又は複数のアップリンク多層伝送に関連付けられた複数の層を選択する手段か
のうちの少なくとも１つを備える請求項２４記載の装置。
【請求項２７】
前記制御シグナリングのためにそれぞれ選択された１又は複数の層での、前記制御シグナリングの少なくとも一部の伝送のための、変調および符号化スキーム（ＭＣＳ）を選択する手段を更に備える請求項２４記載の装置。
【請求項２８】
前記１又は複数のアップリンク多層伝送に関連付けられたそれぞれの層は、空間層あるいはコードワードのうちの少なくとも１つに対応する請求項２４記載の装置。
【請求項２９】
１又は複数のアップリンク多層伝送において送信される制御情報をコンピュータに識別させるコードと、
アップリンク多入力多出力（ＭＩＭＯ）伝送のために指定された複数の層に関する情報をコンピュータに取得させるコードと、
第１のタイプの前記制御情報をスケジューリングするための、前記複数の層をコンピュータに選択させるコード、ここにおいて、前記第１のタイプの制御情報は、１又は複数のダウンリンク伝送に対応する１又は複数のアクノレッジメント（ＡＣＫ）／ネガティブ・アクノレッジメント（ＮＡＣＫ）ビットを備える、と、
第２のタイプの前記制御情報をスケジューリングするための、前記複数の層のうちの唯一の層をコンピュータに選択させるコード、ここにおいて、第２のタイプの制御情報は、チャネル状態情報（ＣＳＩ）を備える、と、
１又は複数のアンテナを介して、前記選択された複数の層および前記選択された唯一の層上で、前記制御情報の少なくとも一部をコンピュータに送信させるコードと
を備えるコンピュータ・プログラム。
【請求項３０】
コンピュータに、それぞれの選択された層での伝送のためにスケジューリングされた制御シグナリングに、それぞれのオフセットを適用させるコードを更に備える請求項２９記載のコンピュータ・プログラム。
【請求項３１】
前記制御シグナリングは、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットを備え、
前記コンピュータに選択させるコードは、
コンピュータに、前記１又は複数のＡＣＫ／ＮＡＣＫビットを一緒に符号化させるコード、および、コンピュータに、前記１又は複数のＡＣＫ／ＮＡＣＫビットをスケジューリングするための、前記１又は複数のアップリンク多層伝送に関連付けられた１又は複数の層を選択させるためコードか、あるいは
コンピュータに、前記１又は複数のＡＣＫ／ＮＡＣＫビットを複数のグループに分けさせるコード、および、コンピュータに、前記ＡＣＫ／ＮＡＣＫビットのそれぞれのグループをスケジューリングするための、前記１又は複数のアップリンク多層伝送に関連付けられた複数の層を選択させるコードか
のうちの少なくとも１つを備える請求項２９記載のコンピュータ・プログラム。
【請求項３２】
前記制御シグナリングのためにそれぞれ選択された１又は複数の層での、前記制御シグナリングの少なくとも一部の伝送のための、変調および符号化スキーム（ＭＣＳ）を、コンピュータに選択させるコードを更に備える請求項２９記載のコンピュータ・プログラム。
【請求項３３】
前記１又は複数のアップリンク多層伝送に関連付けられた前記それぞれの層は、空間層あるいはコードワードのうちの少なくとも１つに対応する請求項２９記載のコンピュータ・プログラム。
【請求項３４】
複数の層にわたってネットワーク・デバイスによって提供された伝送を識別することと、
制御情報がマッピングされた、前記伝送に対応するそれぞれの層を決定することであって、
第１のタイプの制御情報がマッピングされた、前記伝送に対応する前記複数の層を決定すること、ここにおいて、前記第１のタイプの制御情報は、１又は複数のダウンリンク伝送に対応する１又は複数のアクノレッジメント（ＡＣＫ）／ネガティブ・アクノレッジメント（ＮＡＣＫ）ビットを備える、と、
第２のタイプの制御情報がマッピングされた、前記伝送に対応する前記複数の層のうちの唯一の層を決定すること、ここにおいて、前記第２のタイプの制御情報は、チャネル状態情報（ＣＳＩ）を備える、と、
を備える、決定することと、
前記制御情報がマッピングされたと決定されたそれぞれの層で、前記制御情報の少なくとも一部を受信することと
を備える方法。
【請求項３５】
前記受信することは、
前記制御情報がマッピングされた前記それぞれの層で前記制御情報に適用されたオフセットを識別することと、
それに適用されたオフセットに従って、前記制御情報の少なくとも一部を受信することと
を備える請求項３４記載の方法。
【請求項３６】
前記オフセットを識別することは、前記伝送に対応するそれぞれの層にマッピングされた制御情報に適用された、層に依存しないオフセットを識別することを備える請求項３５記載の方法。
【請求項３７】
前記オフセットを識別することは、前記伝送に対応するそれぞれの層にマッピングされた制御情報に適用された、それぞれの層毎のオフセットを識別することを備える請求項３５記載の方法。
【請求項３８】
前記制御情報がマッピングされた層の数または前記制御情報がマッピングされた前記層の特性のうちの少なくとも１つに応じて、前記それぞれの層毎のオフセットを決定することを更に備える請求項３７記載の方法。
【請求項３９】
前記制御情報は、異なるサブフレームあるいは異なるキャリアのうちの少なくとも１つによる、１又は複数のダウンリンク伝送に対応する１又は複数のＡＣＫ／ＮＡＣＫビットを備え、
前記決定することは、前記ＡＣＫ／ＮＡＣＫビットがマッピングされる１又は複数の層を決定することを備える請求項３４記載の方法。
【請求項４０】
前記伝送において提供された前記制御情報の少なくとも一部に適用された変調および符号化スキーム（ＭＣＳ）を識別することを更に備える請求項３４記載の方法。
【請求項４１】
前記制御情報は、アクノレッジメント（ＡＣＫ）／ネガティブ・アクノレッジメント（ＮＡＣＫ）情報あるいはランク情報のうちの少なくとも１つを含み、
前記識別することは、二相位相変調（ＢＰＳＫ）または四相位相変調（ＱＰＳＫ）に基づいて構築された、前記ＡＣＫ／ＮＡＣＫ情報および前記ランク情報に関連付けられた変調コンステレーションおよび前記ＡＣＫ／ＮＡＣＫ情報に関連付けられた変調コンステレーションと、前記ランク情報に関連付けられた変調コンステレーションとの間のユークリッド距離が実質的に最大になるような、関連付けられた符号化およびスクランブリングとを識別することを備える請求項４０記載の方法。
【請求項４２】
前記制御情報は、チャネル品質情報を含み、
前記ＭＣＳを識別することは、前記チャネル品質情報およびデータのための前記伝送内で利用される共通ＭＣＳを識別することを備える請求項４０記載の方法。
【請求項４３】
前記それぞれの層は、空間層あるいはコードワードのうちの少なくとも１つに対応する請求項３４記載の方法。
【請求項４４】
複数の層にわたってネットワーク・デバイスによって提供された伝送に関するデータを格納するメモリと、
制御情報がマッピングされた、前記伝送に対応するそれぞれの層を決定することであって、
第１のタイプの制御情報がマッピングされた、前記伝送に対応する前記複数の層を決定すること、ここにおいて、前記第１のタイプの制御情報は、１又は複数のダウンリンク伝送に対応する１又は複数のアクノレッジメント（ＡＣＫ）／ネガティブ・アクノレッジメント（ＮＡＣＫ）ビットを備える、と、
第２のタイプの制御情報がマッピングされた、前記伝送に対応する前記複数の層のうちの唯一の層を決定すること、ここにおいて、前記第２のタイプの制御情報は、チャネル状態情報（ＣＳＩ）を備える、と、
に少なくとも部分的によって、決定することと、
を行うように構成されたプロセッサと、
前記制御情報がマッピングされたと決定されたそれぞれの層で、前記制御情報の少なくとも一部を受信するための受信機と
を備える無線通信装置。
【請求項４５】
前記プロセッサは更に、前記制御情報がマッピングされた前記それぞれの層で前記制御情報に適用されたオフセットを識別し、それに適用された前記オフセットに従って、前記制御情報の少なくとも一部を受信するように構成される請求項４４記載の無線通信装置。
【請求項４６】
前記プロセッサは更に、前記伝送に対応するそれぞれの層にマッピングされた制御情報に適用された、層に依存しないオフセットを識別するように構成される請求項４５記載の無線通信装置。
【請求項４７】
前記プロセッサは更に、前記伝送に対応するそれぞれの層にマッピングされた制御情報に適用された、それぞれの層毎のオフセットを識別するように構成される請求項４５記載の無線通信装置。
【請求項４８】
前記プロセッサは更に、前記伝送において提供された前記制御情報の少なくとも一部に適用された変調および符号化スキーム（ＭＣＳ）を識別するように構成される請求項４４記載の無線通信装置。
【請求項４９】
前記メモリは更に、アクノレッジメント（ＡＣＫ）／ネガティブ・アクノレッジメント（ＮＡＣＫ）情報あるいはランク情報のうちの少なくとも１つに関するデータを格納し、
前記プロセッサは更に、二相位相変調（ＢＰＳＫ）または四相位相変調（ＱＰＳＫ）に基づいて構築された、前記ＡＣＫ／ＮＡＣＫ情報および前記ランク情報に関連付けられた変調コンステレーションと、前記ＡＣＫ／ＮＡＣＫ情報に関連付けられた変調コンステレーションと前記ランク情報に関連付けられた変調コンステレーションとの間のユークリッド距離が実質的に最大になるような、関連付けられた符号化およびスクランブリングとを識別する
ように構成される請求項４８記載の無線通信装置。
【請求項５０】
前記メモリは更に、チャネル品質情報に関するデータを格納し、
前記プロセッサは更に、前記チャネル品質情報およびデータのための、前記伝送内で利用される共通ＭＣＳを識別する
ように構成される請求項４８記載の無線通信装置。
【請求項５１】
前記それぞれの層は、空間層あるいはコードワードのうちの少なくとも１つに対応する請求項４４記載の無線通信装置。
【請求項５２】
複数の層にわたってネットワーク・デバイスによって提供されるアップリンク多層伝送を識別する手段と、
制御情報がマッピングされた、前記伝送に対応するそれぞれの層を決定する手段であって、
第１のタイプの制御情報がマッピングされた、前記伝送に対応する前記複数の層を決定すること、ここにおいて、前記第１のタイプの制御情報は、１又は複数のダウンリンク伝送に対応する１又は複数のアクノレッジメント（ＡＣＫ）／ネガティブ・アクノレッジメント（ＮＡＣＫ）ビットを備える、と、
第２のタイプの制御情報がマッピングされた、前記伝送に対応する前記複数の層のうちの唯一の層を決定すること、ここにおいて、前記第２のタイプの制御情報は、チャネル状態情報（ＣＳＩ）を備える、と
を備える手段と、
前記アップリンク多層伝送における、１又は複数の決定された層に含まれる制御シグナリングの少なくとも一部を処理する手段と
を備える装置。
【請求項５３】
前記アップリンク多層伝送における、１又は複数の決定された層に含まれる制御シグナリングに適用されたオフセットを識別する手段を更に備え、前記処理する手段は、それに適用されたオフセットに従って、前記アップリンク多層伝送における１又は複数の決定された層に含まれる前記制御シグナリングの少なくとも一部を処理する手段を備える請求項５２記載の装置。
【請求項５４】
前記オフセットを識別する手段は、前記アップリンク多層伝送において、それぞれの層にマッピングされたそれぞれの制御シグナリングに適用された、層に依存しないオフセットを識別する手段か、前記アップリンク多層伝送において、それぞれの層にマッピングされた制御シグナリングに適用された、それぞれの層毎のオフセットを識別する手段かのうちの少なくとも１つを備える請求項５３記載の装置。
【請求項５５】
前記アップリンク多層伝送において提供された制御シグナリングの少なくとも一部に適用された変調および符号化スキーム（ＭＣＳ）を識別する手段を更に備える請求項５２記載の装置。
【請求項５６】
前記アップリンク多層伝送におけるそれぞれの層は、空間層あるいはコードワードのうちの少なくとも１つに対応する請求項５２記載の装置。
【請求項５７】
複数の層にわたってネットワーク・デバイスによって提供されるアップリンク多層伝送をコンピュータに識別させるコードと、
制御情報がマッピングされた、前記伝送に対応するそれぞれの層をコンピュータに決定させるコードであって、
第１のタイプの前記制御情報がマッピングされた、前記アップリンク多層伝送における前記複数の層を決定すること、ここにおいて、前記第１のタイプの制御情報は、１又は複数のダウンリンク伝送に対応する１又は複数のアクノレッジメント（ＡＣＫ）／ネガティブ・アクノレッジメント（ＮＡＣＫ）ビットを備える、と、
第２のタイプの前記制御シグナリングがマッピングされた、前記アップリンク多層伝送における前記複数の層のうちの唯一の層を決定すること、ここにおいて、前記第２のタイプの制御情報は、チャネル状態情報（ＣＳＩ）を備える、と
を備える、コードと、
前記アップリンク多層伝送における、１又は複数の決定された層に含まれる制御シグナリングの少なくとも一部をコンピュータに処理させるコードと、
を備えるコンピュータ・プログラム。
【請求項５８】
前記アップリンク多層伝送における、１又は複数の決定された層に含まれる制御シグナリングに適用されたオフセットを、コンピュータに識別させるコードを更に備え、前記コンピュータに処理させるコードは、それに適用された前記オフセットに従って、前記アップリンク多層伝送における１又は複数の決定された層に含まれる、前記制御シグナリングの少なくとも一部をコンピュータに処理させるコードを備える請求項５７記載のコンピュータ・プログラム。
【請求項５９】
前記アップリンク多層伝送において提供された制御シグナリングの少なくとも一部に適用された変調および符号化スキーム（ＭＣＳ）をコンピュータに識別させるコードを更に備える請求項５７記載のコンピュータ・プログラム。
【請求項６０】
前記アップリンク多層伝送におけるそれぞれの層は、空間層あるいはコードワードのうちの少なくとも１つに対応する請求項５７記載のコンピュータ・プログラム。
【請求項６１】
前記選択することは更に、
前記複数の層におけるそれぞれの層によって達成可能なそれぞれの品質レベルおよび前記制御情報に関連する品質しきい値を識別することと、
前記複数の層におけるそれぞれの層によって達成可能な前記それぞれの品質レベルおよび前記制御情報に関連する前記品質しきい値に従って、前記複数の層における全ての層よりも少ない層のサブセットを選択することと、
を備える、請求項１記載の方法。
【手続補正２】
【補正対象書類名】明細書
【補正対象項目名】０１００
【補正方法】変更
【補正の内容】
【０１００】
上記で説明された内容は、１又は複数の態様の例を含む。もちろん、前述の態様を説明するために、コンポーネントあるいは方法体系の想到しうる全ての組合せを説明するということは不可能であるが、様々な態様からなる多くの更なる組合せあるいは置換えが可能であるということを当業者は認識しうる。従って、説明された態様は、添付の請求項の精神および範囲内に含まれるような変更、変形、およびバリエーションを包含するように意図されている。更に、用語「含む（include）」は、詳細な説明あるいは請求項のどちらかにおいて使用される範囲内で、このような用語は、用語「備える」と類似して、「備える」が請求項において、遷移語として用いられる場合のように包括的であることが意図されている。更に、用語「又は／あるいは（ｏｒ）」は、詳細な説明あるいは特許請求の範囲の何れかにおいて使用される場合に、「非排他的なあるいは／又は」を意味するよう意図されている。
以下に本願の出願当初の特許請求の範囲に記載された発明を付記する。
[Ｃ１]  １又は複数のネットワーク・エンティティに送信される制御情報を識別することと、
アップリンク多入力多出力（ＭＩＭＯ）伝送のために指定された層のセットに関する情報を取得することと、
前記層のセットから、前記制御情報の少なくとも一部のアップリンクＭＩＭＯ伝送をスケジューリングするための、それぞれの層を選択することとを備える方法。
[Ｃ２]  前記選択することは、前記制御情報の少なくとも一部のアップリンクＭＩＭＯ伝送をスケジューリングするための、前記層のセットにおける全ての層よりも少ない層のサブセットを選択することを備えるＣ１記載の方法。
[Ｃ３]  前記選択することは、
前記制御情報と、前記層のセットにおけるそれぞれの層によって達成可能なそれぞれの品質レベルとに関連付けられた品質しきい値を識別することと、
前記制御情報と、前記層のセットにおけるそれぞれの層によって達成可能なそれぞれの品質レベルとに関連付けられた品質しきい値に従って、前記層のセットにおける全ての層よりも少ない層のサブセットを選択することとを備えるＣ２記載の方法。
[Ｃ４]  前記選択することは更に、
前記層のセットにおける前記層のうちで、最も低い符号レートあるいは変調次数を有していると決定された、前記層のセットにおけるそれぞれの層を含む層の候補サブセットを識別することと、
前記制御情報の少なくとも一部のアップリンクＭＩＭＯ伝送をスケジューリングするための、前記層の候補サブセットにおける１又は複数の層を選択することとを備えるＣ２記載の方法。
[Ｃ５]  前記選択することは更に、
前記層のセットにおける層のうちで、最も高い符号レートあるいは変調次数を有していると決定された、前記層のセットにおけるそれぞれの層を含む層の候補サブセットを識別することと、
前記制御情報の少なくとも一部のアップリンクＭＩＭＯ伝送をスケジューリングするための、前記層の候補サブセットにおける１又は複数の層を選択することとを備えるＣ２記載の方法。
[Ｃ６]  前記層のセットにおける全ての層よりも少ない層のサブセットは、１つの層を備えるＣ２記載の方法。
[Ｃ７]  前記選択することは、前記制御情報の少なくとも一部のアップリンクＭＩＭＯ伝送をスケジューリングするための、前記層のセットにおける実質的に全ての層を選択することを備えるＣ１記載の方法。
[Ｃ８]  前記層のセットにおけるそれぞれの層での伝送のためにスケジューリングされた制御情報に、それぞれのオフセットを適用することを更に備えるＣ１記載の方法。
[Ｃ９]  前記適用することは、前記層のセットにおけるそれぞれの層での伝送のためにスケジューリングされた制御情報の少なくとも一部に、層に依存しないオフセットを適用することを備えるＣ８記載の方法。
[Ｃ１０]  前記適用することは、
前記層のセットにおけるそれぞれの層での伝送のためにスケジューリングされた制御情報の少なくとも一部に、それぞれの可変オフセットを適用することと、
前記制御情報の伝送がスケジューリングされたそれぞれの層の少なくとも１つの特性と、前記制御情報の伝送がスケジューリングされた層の数とに基づいて、前記それぞれの可変オフセットのための値を決定することとを備えるＣ８記載の方法。
[Ｃ１１]  前記制御情報は、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットを備え、
前記選択することは、前記１又は複数のＡＣＫ／ＮＡＣＫビットを一緒に符号化することと、前記層のセットから、前記１又は複数のＡＣＫ／ＮＡＣＫビットのアップリンクＭＩＭＯ伝送をスケジューリングするための、１又は複数の層を選択することとを備えるＣ１記載の方法。
[Ｃ１２]  前記制御情報は、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットを備え、
前記選択することは、前記１又は複数のＡＣＫ／ＮＡＣＫビットを複数のグループに分けることと、前記層のセットから、前記ＡＣＫ／ＮＡＣＫビットのそれぞれのグループのアップリンクＭＩＭＯ伝送をスケジューリングするための、複数の層を選択することとを備えるＣ１記載の方法。
[Ｃ１３]  前記制御情報のためにそれぞれ選択された１又は複数の層での、前記制御情報の少なくとも一部の伝送のための変調および符号化スキーム（ＭＣＳ）を決定することを更に備えるＣ１記載の方法。
[Ｃ１４]  前記制御情報は、アクノレッジメント（ＡＣＫ）／ネガティブ・アクノレッジメント（ＮＡＣＫ）情報およびランク情報を含み、
前記決定することは、
二相位相変調（ＢＰＳＫ）および四相位相変調（ＱＰＳＫ）から成るグループから、ＡＣＫ／ＮＡＣＫ情報およびランク情報のための変調スキームを選択することと、
前記ＡＣＫ／ＮＡＣＫ情報およびランク情報に関連付けられた変調コンステレーション間のユークリッド距離が実質的に最大になるように、前記ＡＣＫ／ＮＡＣＫ情報およびランク情報のための符号化およびスクランブリングを実行することとを備えるＣ１３記載の方法。
[Ｃ１５]  前記制御情報が、アクノレッジメント（ＡＣＫ）／ネガティブ・アクノレッジメント（ＮＡＣＫ）情報あるいはランク情報の少なくとも１つを含み、
前記決定することは、
ＡＣＫ／ＮＡＣＫ情報あるいはランク情報の少なくとも一部の伝送のために、チャネル品質情報あるいはプリコーディング情報に関連付けられたＭＣＳを選択することか、
予め定められたｎ、ｋの値についての（ｎ、ｋ）符号化スキームに従って、ＡＣＫ／ＮＡＣＫ情報あるいはランク情報のうちの少なくとも１つを符号化することか、あるいは
関連付けられた四相位相変調（ＱＰＳＫ）コンステレーションによって提供されたパリティ・ビットが、追加的なＡＣＫ／ＮＡＣＫ情報あるいはランク情報を運ぶために利用されるように、ＱＰＳＫに従ってＡＣＫ／ＮＡＣＫ情報あるいはランク情報のうちの少なくとも１つを変調することか
のうちの少なくとも１つを実行することによって前記制御情報のためのＭＣＳを選択することを備えるＣ１３記載の方法。
[Ｃ１６]  前記制御情報は、チャネル品質情報を含み、
前記決定することは、前記チャネル品質情報と共に送信されるデータに関連付けられた前記チャネル品質情報の少なくとも一部の伝送のためのＭＣＳを選択することを備えるＣ１３記載の方法。
[Ｃ１７]  前記層のセットは、空間層あるいはコードワードのうちの少なくとも１つに対応するＣ１記載の方法。
[Ｃ１８]  １又は複数のネットワーク・エンティティに送信される制御情報と、アップリンク多入力多出力（ＭＩＭＯ）伝送のために指定された層のセットとに関するデータを格納するメモリ
前記層のセットから、前記制御情報の少なくとも一部のアップリンクＭＩＭＯ伝送をスケジューリングするための、それぞれの層を選択するように構成されたプロセッサとを備える無線通信装置。
[Ｃ１９]  前記プロセッサは更に、前記制御情報の少なくとも一部のアップリンクＭＩＭＯ伝送をスケジューリングするための、前記層のセットにおける全ての層よりも少ない層のサブセットを選択するように構成されるＣ１８記載の無線通信装置。
[Ｃ２０]  前記プロセッサは更に、
前記層のセットにおける前記層のうちで、最も低い符号レートあるいは変調次数を有していると決定された、前記層のセットにおけるそれぞれの層を含む、層の候補サブセットを識別し、
前記制御情報の少なくとも一部のアップリンクＭＩＭＯ伝送をスケジューリングするための、前記層の候補サブセットにおける１又は複数の層を選択するように構成されるＣ１９記載の無線通信装置。
[Ｃ２１]  前記プロセッサは更に、
前記層のセットにおける層のうちで、最も高い符号レートあるいは変調次数を有していると決定された、前記層のセットにおけるそれぞれの層を含む、層の候補サブセットを識別し、
前記制御情報の少なくとも一部のアップリンクＭＩＭＯ伝送をスケジューリングするための、前記層の候補サブセットにおける１又は複数の層を選択するように構成されるＣ１９記載の無線通信装置。
[Ｃ２２]  前記プロセッサは更に、前記制御情報の少なくとも一部のアップリンクＭＩＭＯ伝送をスケジューリングするための、前記層のセットにおける実質的に全ての層を選択するように構成されるＣ１８記載の無線装置。
[Ｃ２３]  前記プロセッサは更に、前記層のセットにおけるそれぞれの層での伝送のためにスケジューリングされた制御情報に、それぞれのオフセットを適用するように構成されるＣ１８記載の無線通信装置。
[Ｃ２４]  前記メモリは更に、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットに関するデータを格納し、
前記プロセッサは更に、
前記１又は複数のＡＣＫ／ＮＡＣＫビットを一緒に符号化すること、および、前記層のセットから、前記１又は複数のＡＣＫ／ＮＡＣＫビットのアップリンクＭＩＭＯ伝送をスケジューリングするための、１又は複数の層を選択することか、
前記１又は複数のＡＣＫ／ＮＡＣＫビットを複数のグループに分けること、および、前記層のセットから、前記ＡＣＫ／ＮＡＣＫビットのそれぞれのグループのアップリンクＭＩＭＯ伝送をスケジューリングするための、複数の層を選択することか
のうちの少なくとも１つを実行するように構成されるＣ１８記載の無線通信装置。
[Ｃ２５]  前記プロセッサは更に、前記制御情報のためにそれぞれ選択された１又は複数の層での前記制御情報の少なくとも一部の伝送のための、変調および符号化スキーム（ＭＣＳ）を決定するように構成されるＣ１８記載の無線通信装置。
[Ｃ２６]  前記メモリは更に、アクノレッジメント（ＡＣＫ）／ネガティブ・アクノレッジメント（ＮＡＣＫ）およびランク情報に関するデータを格納し、
前記プロセッサは更に、二相位相変調（ＢＰＳＫ）および四相位相変調（ＱＰＳＫ）から成るグループから、ＡＣＫ／ＮＡＣＫ情報およびランク情報のための変調スキームを選択し、
前記ＡＣＫ／ＮＡＣＫ情報およびランク情報に関連付けられた変調コンステレーション間のユークリッド距離が実質的に最大になるように、前記ＡＣＫ／ＮＡＣＫ情報およびランク情報のための符号化およびスクランブリングを実行するように構成されるＣ２５記載の無線通信装置。
[Ｃ２７]  前記メモリは更に、アクノレッジメント（ＡＣＫ）／ネガティブ・アクノレッジメント（ＮＡＣＫ）あるいはランク情報のうちの少なくとも１つに関するデータを格納し、
前記プロセッサは更に、
ＡＣＫ／ＮＡＣＫ情報あるいはランク情報の少なくとも一部の伝送のために、チャネル品質情報あるいはプリコーディング情報に関連付けられたＭＣＳを選択することか、
予め定められたｎ、ｋの値についての（ｎ、ｋ）符号化スキームに従って、ＡＣＫ／ＮＡＣＫ情報あるいはランク情報のうちの少なくとも１つを符号化することか、あるいは
関連付けられた四相位相変調（ＱＰＳＫ）コンステレーションによって提供されたパリティ・ビットが、追加的なＡＣＫ／ＮＡＣＫ情報あるいはランク情報を運ぶために利用されるように、ＱＰＳＫに従ってＡＣＫ／ＮＡＣＫ情報あるいはランク情報のうちの少なくとも１つを変調することか
のうちの少なくとも１つを実行することによって前記制御情報のためのＭＣＳを選択するように構成されるＣ２５記載の無線通信装置。
[Ｃ２８]  前記メモリは更に、チャネル品質情報に関するデータを格納し、
前記プロセッサは更に、前記チャネル品質情報と共に送信されるデータに関連付けられた前記チャネル品質情報の少なくとも一部の伝送のためのＭＣＳを選択するように構成されるＣ２５記載の無線通信装置。
[Ｃ２９]  前記層のセットは、空間層あるいはコードワードのうちの少なくとも１つに対応するＣ１８記載の無線通信装置。
[Ｃ３０]  １又は複数のアップリンク多層伝送において送信される制御シグナリングを識別する手段と、
前記制御シグナリングの少なくとも一部をスケジューリングするための、１又は複数のアップリンク多層伝送に関連付けられたそれぞれの層を選択する手段とを備える装置。
[Ｃ３１]  前記選択する手段は、前記制御シグナリングの少なくとも一部をスケジューリングするための、前記１又は複数のアップリンク多層伝送に関連付けられた、全ての層よりも少ない層のサブセットを選択する手段を備えるＣ３０記載の装置。
[Ｃ３２]  前記１又は複数のアップリンク多層伝送に関連付けられた、全ての層よりも少ない層の前記サブセットは、１つの層を備えるＣ３１記載の装置。
[Ｃ３３]  前記選択する手段は、前記制御シグナリングの少なくとも一部をスケジューリングするための、前記１又は複数のアップリンク多層伝送に関連付けられた、実質的に全ての層を選択する手段を備えるＣ３０記載の装置。
[Ｃ３４]  それぞれの選択された層での伝送のためにスケジューリングされた制御シグナリングに、それぞれのオフセットを適用する手段を更に備えるＣ３０記載の装置。
[Ｃ３５]  前記制御シグナリングは、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットを備え、
前記選択する手段は、
前記１又は複数のＡＣＫ／ＮＡＣＫビットを一緒に符号化する手段、および、前記１又は複数のＡＣＫ／ＮＡＣＫビットをスケジューリングするための、前記１又は複数のアップリンク多層伝送に関連付けられた１又は複数の層を選択する手段か、あるいは、
前記１又は複数のＡＣＫ／ＮＡＣＫビットを複数のグループに分ける手段、および、前記ＡＣＫ／ＮＡＣＫビットのそれぞれのグループをスケジューリングするための、前記１又は複数のアップリンク多層伝送に関連付けられた複数の層を選択する手段か
のうちの少なくとも１つを備えるＣ３０記載の装置。
[Ｃ３６]  前記制御シグナリングのためにそれぞれ選択された１又は複数の層での、前記制御シグナリングの少なくとも一部の伝送のための、変調および符号化スキーム（ＭＣＳ）を選択する手段を更に備えるＣ３０記載の装置。
[Ｃ３７]  前記１又は複数のアップリンク多層伝送に関連付けられたそれぞれの層は、空間層あるいはコードワードのうちの少なくとも１つに対応するＣ３０記載の装置。
[Ｃ３８]  １又は複数のアップリンク多層伝送において送信される制御シグナリングをコンピュータに識別させるコードと、
前記制御シグナリングの少なくとも一部をスケジューリングするための、前記１又は複数のアップリンク多層伝送に関連付けられたそれぞれの層をコンピュータに選択させるコードとを備えるコンピュータ可読媒体を備える、コンピュータ・プログラム製品。
[Ｃ３９]  前記コンピュータ可読媒体は更に、コンピュータに、それぞれの選択された層での伝送のためにスケジューリングされた制御シグナリングに、それぞれのオフセットを適用させるコードを備えるＣ３８記載のコンピュータ・プログラム製品。
[Ｃ４０]  前記制御シグナリングは、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットを備え、
前記コンピュータに選択させるコードは、
コンピュータに、前記１又は複数のＡＣＫ／ＮＡＣＫビットを一緒に符号化させるコード、および、コンピュータに、前記１又は複数のＡＣＫ／ＮＡＣＫビットをスケジューリングするための、前記１又は複数のアップリンク多層伝送に関連付けられた１又は複数の層を選択させるためコードか、あるいは
コンピュータに、前記１又は複数のＡＣＫ／ＮＡＣＫビットを複数のグループに分けさせるコード、および、コンピュータに、前記ＡＣＫ／ＮＡＣＫビットのそれぞれのグループをスケジューリングするための、前記１又は複数のアップリンク多層伝送に関連付けられた複数の層を選択させるコードか
のうちの少なくとも１つを備えるＣ３８記載のコンピュータ・プログラム製品。
[Ｃ４１]  前記コンピュータ可読媒体は更に、前記制御シグナリングのためにそれぞれ選択された１又は複数の層での、前記制御シグナリングの少なくとも一部の伝送のための、変調および符号化スキーム（ＭＣＳ）を、コンピュータに選択させるコードを備えるＣ３８記載のコンピュータ・プログラム製品。
[Ｃ４２]  前記１又は複数のアップリンク多層伝送に関連付けられたそれぞれの層は、空間層あるいはコードワードのうちの少なくとも１つに対応するＣ３８記載のコンピュータ・プログラム製品。
[Ｃ４３]  複数の層にわたって、ネットワーク・デバイスによって提供された伝送を識別することと、
制御情報がマッピングされた、前記伝送に対応するそれぞれの層を決定することと、
前記制御情報がマッピングされたと決定されたそれぞれの層で、前記制御情報の少なくとも一部を受信することとを備える方法。
[Ｃ４４]  前記決定することは、第１のタイプの制御情報がマッピングされた、前記伝送に対応する第１の層のセットを決定することと、
前記第１のタイプの制御情報とは異種である第２のタイプの制御情報がマッピングされた、前記伝送に対応する第２の層のセットを決定することとを備えるＣ４３記載の方法。
[Ｃ４５]  前記受信することは、
前記制御情報がマッピングされた前記それぞれの層で前記制御情報に適用されたオフセットを識別することと、
それに適用されたオフセットに従って、前記制御情報の少なくとも一部を受信することとを備えるＣ４３記載の方法。
[Ｃ４６]  前記オフセットを識別することは、前記伝送に対応するそれぞれの層にマッピングされた制御情報に適用された、層に依存しないオフセットを識別することを備えるＣ４５記載の方法。
[Ｃ４７]  前記オフセットを識別することは、前記伝送に対応するそれぞれの層にマッピングされた制御情報に適用された、それぞれの層毎のオフセットを識別することを備えるＣ４５記載の方法。
[Ｃ４８]  前記制御情報がマッピングされた前記層の少なくとも１つの特性、あるいは、前記制御情報がマッピングされる層の数に応じて、前記それぞれの層毎のオフセットを決定することを更に備えるＣ４７記載の方法。
[Ｃ４９]  前記制御情報は、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットを備え、
前記決定することは、前記ＡＣＫ／ＮＡＣＫビットがマッピングされる１又は複数の層を決定することを備えるＣ４３記載の方法。
[Ｃ５０]  前記伝送において提供された前記制御情報の少なくとも一部に適用された変調および符号化スキーム（ＭＣＳ）を識別することを更に備えるＣ４３記載の方法。
[Ｃ５１]  前記制御情報は、アクノレッジメント（ＡＣＫ）／ネガティブ・アクノレッジメント（ＮＡＣＫ）情報あるいはランク情報のうちの少なくとも１つを含み、
前記識別することは、二相位相変調（ＢＰＳＫ）および四相位相変調（ＱＰＳＫ）に基づいて構築された、前記ＡＣＫ／ＮＡＣＫ情報およびランク情報に関連付けられた変調コンステレーションと前記ＡＣＫ／ＮＡＣＫ情報に関連付けられた変調コンステレーションと、前記ランク情報に関連付けられた変調コンステレーションとの間のユークリッド距離が実質的に最大になるような、関連付けられた符号化およびスクランブリングとを識別することを備えるＣ５０記載の方法。
[Ｃ５２]  前記制御情報は、チャネル品質情報を含み、
前記ＭＣＳを識別することは、前記チャネル品質情報およびデータのための前記伝送内で利用される共通ＭＣＳを識別することを備えるＣ５０記載の方法。
[Ｃ５３]  前記それぞれの層は、空間層あるいはコードワードのうちの少なくとも１つに対応するＣ４３記載の方法。
[Ｃ５４]  複数の層にわたってネットワーク・デバイスによって提供された伝送に関するデータを格納するメモリと、
制御情報がマッピングされた、前記伝送に対応するそれぞれの層を決定し、前記制御情報がマッピングされたと決定されたそれぞれの層で前記制御情報の少なくとも一部を受信するように構成されたプロセッサとを備える無線通信装置。
[Ｃ５５]  前記プロセッサは更に、前記制御情報がマッピングされた前記それぞれの層で前記制御情報に適用されたオフセットを識別し、前記適用されたオフセットに従って、前記制御情報の少なくとも一部を受信するように構成されるＣ５４記載の無線通信装置。
[Ｃ５６]  前記プロセッサは更に、前記伝送に対応するそれぞれの層にマッピングされた制御情報に適用された、層に依存しないオフセットを識別するように構成されるＣ５５記載の無線通信装置。
[Ｃ５７]  前記プロセッサは更に、前記伝送に対応するそれぞれの層にマッピングされた制御情報に適用された、それぞれの層毎のオフセットを識別するように構成されるＣ５５記載の無線通信装置。
[Ｃ５８]  前記プロセッサは、前記伝送において提供された前記制御情報の少なくとも一部に適用された変調および符号化スキーム（ＭＣＳ）を識別するように更に構成されるＣ５４記載の無線通信装置。
[Ｃ５９]  前記メモリは更に、アクノレッジメント（ＡＣＫ）／ネガティブ・アクノレッジメント（ＮＡＣＫ）情報あるいはランク情報のうちの少なくとも１つに関するデータを格納し、
前記プロセッサは、二相位相変調（ＢＰＳＫ）および四相位相変調（ＱＰＳＫ）に基づいて構築された、前記ＡＣＫ／ＮＡＣＫ情報および前記ランク情報に関連付けられた変調コンステレーションと、前記ＡＣＫ／ＮＡＣＫ情報に関連付けられた変調コンステレーションと前記ランク情報に関連付けられた変調コンステレーションとの間のユークリッド距離が実質的に最大になるような、関連付けられた符号化およびスクランブリングとを識別することを備えるＣ５８記載の無線通信装置。
[Ｃ６０]  前記メモリは更に、チャネル品質情報に関するデータを格納し、
前記プロセッサは更に、前記チャネル品質情報およびデータのための、前記伝送内で利用される共通ＭＣＳを識別するように構成されるＣ５８記載の無線通信装置。
[Ｃ６１]  前記それぞれの層は、空間層あるいはコードワードのうちの少なくとも１つに対応するＣ５４記載の無線通信装置。
[Ｃ６２]  ネットワーク・デバイスによって提供されるアップリンク多層伝送を識別する手段と、
前記アップリンク多層伝送における、制御シグナリングを含む１又は複数の層を決定する手段と、
前記アップリンク多層伝送における、１又は複数の決定された層に含まれる制御信号の少なくとも一部を処理する手段とを備える装置。
[Ｃ６３]  前記アップリンク多層伝送における、１又は複数の決定された層に含まれる制御シグナリングに適用されたオフセットを識別する手段を更に備え、前記処理する手段は、適用されたオフセットに従って、前記アップリンク多層伝送における１又は複数の決定された層に含まれる制御シグナリングの少なくとも一部を処理する手段を備えるＣ６２記載の装置。
[Ｃ６４]  前記オフセットを識別する手段は、前記アップリンク多層伝送において、それぞれの層にマッピングされたそれぞれの制御シグナリングに適用された、層に依存しないオフセットを識別する手段か、前記アップリンク多層伝送において、それぞれの層にマッピングされたそれぞれの制御シグナリングに適用された、それぞれの層毎のオフセットを識別する手段かのうちの少なくとも１つを備えるＣ６３記載の装置。
[Ｃ６５]  前記アップリンク多層伝送において提供された制御シグナリングの少なくとも一部に適用された変調および符号化スキーム（ＭＣＳ）を識別する手段を更に備えるＣ６２記載の装置。
[Ｃ６６]  前記アップリンク多層伝送におけるそれぞれの層は、空間層あるいはコードワードのうちの少なくとも１つに対応するＣ６２記載の装置。
[Ｃ６７]  ネットワーク・デバイスによって提供されるアップリンク多層伝送をコンピュータに識別させるコードと、
前記アップリンク多層伝送における、制御シグナリングを含む１又は複数の層をコンピュータに決定させるコードと、
前記アップリンク多層伝送における、１又は複数の決定された層に含まれる制御シグナリングの少なくとも一部をコンピュータに処理させるコードとを備えるコンピュータ可読媒体を備える、コンピュータ・プログラム製品。
[Ｃ６８]  前記コンピュータ可読媒体は更に、前記アップリンク多層伝送における、１又は複数の決定された層に含まれる制御シグナリングに適用されたオフセットを、コンピュータに識別させるコードを備え、前記コンピュータに処理させるコードは、前記適用されたオフセットに従って、前記アップリンク多層伝送における１又は複数の決定された層に含まれる、前記制御シグナリングの少なくとも一部をコンピュータに処理させるコードを備えるＣ６７記載のコンピュータ可読媒体。
[Ｃ６９]  前記コンピュータ可読媒体は、前記アップリンク多層伝送において提供された制御シグナリングの少なくとも一部に適用された変調および符号化スキーム（ＭＣＳ）をコンピュータに識別させるコードを更に備えるＣ６７記載のコンピュータ可読媒体。
[Ｃ７０]  前記アップリンク多層伝送におけるそれぞれの層は、空間層あるいはコードワードのうちの少なくとも１つに対応するＣ６７記載のコンピュータ可読媒体。
【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
１又は複数のネットワーク・エンティティに送信される制御情報を識別することと、
アップリンク多入力多出力（ＭＩＭＯ）伝送のために指定された複数の層に関する情報を取得することと、
第１のタイプの前記制御情報のアップリンクＭＩＭＯ伝送をスケジューリングするための、前記複数の層を選択すること、ここにおいて、前記第１のタイプの制御情報は、１又は複数のダウンリンク伝送に対応する１又は複数のアクノレッジメント（ＡＣＫ）／ネガティブ・アクノレッジメント（ＮＡＣＫ）ビットを備える、と、
第２のタイプの前記制御情報のアップリンクＭＩＭＯ伝送をスケジューリングするための、前記複数の層からの唯一の層を選択することと、ここにおいて、前記第２のタイプの制御情報は、チャネル状態情報（ＣＳＩ）を備える、と、
１又は複数のアンテナを介して、前記選択された複数の層および前記選択された唯一の層上で、前記制御情報の少なくとも一部を送信することと、
を備える方法。
【請求項２】
前記唯一の層を前記選択することは、
前記複数の層における前記層のうちで、最も低い符号レートあるいは変調次数を有していると決定された、前記複数の層における層を識別することと、
前記第２のタイプの制御情報のアップリンクＭＩＭＯ伝送をスケジューリングするための、前記層を選択することと
を備える請求項１記載の方法。
【請求項３】
前記唯一の層を前記選択することは、
前記複数の層における前記層のうちで、最も高い符号レートあるいは変調次数を有していると決定された、前記複数の層における層を識別することと、
前記第２のタイプの制御情報のアップリンクＭＩＭＯ伝送をスケジューリングするための、前記層を選択することと
を備える請求項１記載の方法。
【請求項４】
前記複数の層におけるそれぞれの層での伝送のためにスケジューリングされた制御情報に、それぞれのオフセットを適用することを更に備える請求項１記載の方法。
【請求項５】
前記適用することは、前記複数の層におけるそれぞれの層での伝送のためにスケジューリングされた前記制御情報の少なくとも一部に、層に依存しないオフセットを適用すること
を備える請求項４記載の方法。
【請求項６】
前記適用することは、
前記複数の層におけるそれぞれの層での伝送のためにスケジューリングされた前記制御情報の少なくとも一部に、それぞれの可変オフセットを適用することと、
前記制御情報の伝送がスケジューリングされた層の数または前記制御情報の伝送がスケジューリングされたそれぞれの層の特性のうちの少なくとも１つに基づいて、前記それぞれの可変オフセットのための値を決定することと
を備える請求項４記載の方法。
【請求項７】
前記制御情報は、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットを備え、
前記選択することは、前記１又は複数のＡＣＫ／ＮＡＣＫビットを一緒に符号化することと、前記１又は複数のＡＣＫ／ＮＡＣＫビットのアップリンクＭＩＭＯ伝送をスケジューリングするための、前記複数の層からの１又は複数の層を選択することと
を備える請求項１記載の方法。
【請求項８】
前記制御情報は、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットを備え、
前記選択することは、前記１又は複数のＡＣＫ／ＮＡＣＫビットを複数のグループに分けることと、前記ＡＣＫ／ＮＡＣＫビットのそれぞれのグループのアップリンクＭＩＭＯ伝送をスケジューリングするための、前記複数の層からの１又は複数の層を選択することと
を備える請求項１記載の方法。
【請求項９】
前記制御情報のためにそれぞれ選択された１又は複数の層での、前記制御情報の少なくとも一部の伝送のための変調および符号化スキーム（ＭＣＳ）を決定することを更に備える請求項１記載の方法。
【請求項１０】
前記制御情報は、アクノレッジメント（ＡＣＫ）／ネガティブ・アクノレッジメント（ＮＡＣＫ）情報およびランク情報を含み、
前記決定することは、
二相位相変調（ＢＰＳＫ）および四相位相変調（ＱＰＳＫ）から成るグループから、前記ＡＣＫ／ＮＡＣＫ情報およびランク情報のための変調スキームを選択することと、
前記ＡＣＫ／ＮＡＣＫ情報および前記ランク情報に関連付けられた変調コンステレーション間のユークリッド距離が実質的に最大になるような、前記ＡＣＫ／ＮＡＣＫ情報およびランク情報のための符号化およびスクランブリングを実行することと
を備える請求項９記載の方法。
【請求項１１】
前記制御情報が、アクノレッジメント（ＡＣＫ）／ネガティブ・アクノレッジメント（ＮＡＣＫ）情報あるいはランク情報の少なくとも１つを含み、
前記決定することは、
ＡＣＫ／ＮＡＣＫ情報あるいはランク情報の少なくとも一部の伝送のために、チャネル品質情報あるいはプリコーディング情報に関連付けられたＭＣＳを選択することか、
予め定められたｎ、ｋの値についての（ｎ、ｋ）符号化スキームに従って、ＡＣＫ／ＮＡＣＫ情報あるいはランク情報のうちの少なくとも１つを符号化することか、あるいは
関連付けられた四相位相変調（ＱＰＳＫ）コンステレーションによって提供されたパリティ・ビットが、追加的なＡＣＫ／ＮＡＣＫ情報あるいはランク情報を運ぶために利用されるように、ＱＰＳＫに従ってＡＣＫ／ＮＡＣＫ情報あるいはランク情報のうちの少なくとも１つを変調することか
のうちの少なくとも１つを実行することによって前記制御情報のためのＭＣＳを選択することを備える請求項９記載の方法。
【請求項１２】
前記制御情報は、チャネル品質情報を含み、
前記決定することは、前記チャネル品質情報と共に送信されるデータに関連付けられた前記チャネル品質情報の少なくとも一部の伝送のためのＭＣＳを選択することを備える請求項９記載の方法。
【請求項１３】
前記複数の層は、空間層あるいはコードワードのうちの少なくとも１つに対応する請求項１記載の方法。
【請求項１４】
１又は複数のネットワーク・エンティティに送信される制御情報と、アップリンク多入力多出力（ＭＩＭＯ）伝送のために指定された複数の層とに関するデータを格納するメモリと、
第１のタイプの前記制御情報のアップリンクＭＩＭＯ伝送をスケジューリングするための、前記複数の層を選択すること、ここにおいて、前記第１のタイプの制御情報は、１又は複数のダウンリンク伝送に対応する１又は複数のアクノレッジメント（ＡＣＫ）／ネガティブ・アクノレッジメント（ＮＡＣＫ）ビットを備える、と、
第２のタイプの前記制御情報のアップリンクＭＩＭＯ伝送をスケジューリングするための、前記複数の層からの唯一の層を選択すること、ここにおいて、前記第２のタイプの制御情報は、チャネル状態情報（ＣＳＩ）を備える、と、
を行うように構成されたプロセッサと、
１又は複数のアンテナを介して、前記選択された複数の層および前記選択された唯一の層上で、前記制御情報の少なくとも一部を送信するための送信機と
を備える無線通信装置。
【請求項１５】
前記プロセッサは更に、
前記複数の層における前記層のうちで、最も低い符号レートあるいは変調次数を有していると決定された、前記複数の層における層を識別し、
前記第２のタイプの制御情報のアップリンクＭＩＭＯ伝送をスケジューリングするための、前記層を選択する
ように構成される請求項１４記載の無線通信装置。
【請求項１６】
前記プロセッサは更に、
前記複数の層における前記層のうちで、最も高い符号レートあるいは変調次数を有していると決定された、前記複数の層における層を識別し、
前記第２のタイプの制御情報のアップリンクＭＩＭＯ伝送をスケジューリングするための、前記層を選択する
ように構成される請求項１４記載の無線通信装置。
【請求項１７】
前記プロセッサは更に、前記複数の層におけるそれぞれの層での伝送のためにスケジューリングされた制御情報に、それぞれのオフセットを適用するように構成される請求項１４記載の無線通信装置。
【請求項１８】
前記メモリは更に、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットに関するデータを格納し、
前記プロセッサは更に、
前記１又は複数のＡＣＫ／ＮＡＣＫビットを一緒に符号化すること、および、前記１又は複数のＡＣＫ／ＮＡＣＫビットのアップリンクＭＩＭＯ伝送をスケジューリングするための、前記複数の層からの１又は複数の層を選択することか、
前記１又は複数のＡＣＫ／ＮＡＣＫビットを複数のグループに分けること、および、前記ＡＣＫ／ＮＡＣＫビットのそれぞれのグループのアップリンクＭＩＭＯ伝送をスケジューリングするための、前記複数の層からの複数の層を選択することか
のうちの少なくとも１つを実行するように構成される請求項１４記載の無線通信装置。
【請求項１９】
前記プロセッサは更に、前記制御情報のためにそれぞれ選択された１又は複数の層での前記制御情報の少なくとも一部の伝送のための、変調および符号化スキーム（ＭＣＳ）を決定するように構成される請求項１４記載の無線通信装置。
【請求項２０】
前記メモリは更に、アクノレッジメント（ＡＣＫ）／ネガティブ・アクノレッジメント（ＮＡＣＫ）およびランク情報に関するデータを格納し、
前記プロセッサは更に、二相位相変調（ＢＰＳＫ）および四相位相変調（ＱＰＳＫ）から成るグループから、前記ＡＣＫ／ＮＡＣＫ情報およびランク情報のための変調スキームを選択し、
前記ＡＣＫ／ＮＡＣＫ情報および前記ランク情報に関連付けられた変調コンステレーション間のユークリッド距離が実質的に最大になるような、前記ＡＣＫ／ＮＡＣＫ情報およびランク情報のための符号化およびスクランブリングを実行する
ように構成される請求項１９記載の無線通信装置。
【請求項２１】
前記メモリは更に、アクノレッジメント（ＡＣＫ）／ネガティブ・アクノレッジメント（ＮＡＣＫ）あるいはランク情報のうちの少なくとも１つに関するデータを格納し、
前記プロセッサは更に、
ＡＣＫ／ＮＡＣＫ情報あるいはランク情報の少なくとも一部の伝送のために、チャネル品質情報あるいはプリコーディング情報に関連付けられたＭＣＳを選択することか、
予め定められたｎ、ｋの値についての（ｎ、ｋ）符号化スキームに従って、ＡＣＫ／ＮＡＣＫ情報あるいはランク情報のうちの少なくとも１つを符号化することか、あるいは
関連付けられた四相位相変調（ＱＰＳＫ）コンステレーションによって提供されたパリティ・ビットが、追加的なＡＣＫ／ＮＡＣＫ情報あるいはランク情報を運ぶために利用されるように、ＱＰＳＫに従ってＡＣＫ／ＮＡＣＫ情報あるいはランク情報のうちの少なくとも１つを変調することか
のうちの少なくとも１つを実行することによって前記制御情報のためのＭＣＳを選択するように構成される請求項１９記載の無線通信装置。
【請求項２２】
前記メモリは更に、チャネル品質情報に関するデータを格納し、
前記プロセッサは更に、前記チャネル品質情報と共に送信されるデータに関連付けられた前記チャネル品質情報の少なくとも一部の伝送のためのＭＣＳを選択するように構成される請求項１９記載の無線通信装置。
【請求項２３】
前記複数の層は、空間層あるいはコードワードのうちの少なくとも１つに対応する請求項１４記載の無線通信装置。
【請求項２４】
１又は複数のアップリンク多層伝送において送信される制御情報を識別する手段と、
アップリンク多入力多出力（ＭＩＭＯ）伝送のために指定された複数の層に関する情報を取得する手段と、
第１のタイプの前記制御情報のアップリンクＭＩＭＯ伝送をスケジューリングするための、前記複数の層を選択する手段、ここにおいて、前記第１のタイプの制御情報は、１又は複数のダウンリンク伝送に対応する１又は複数のアクノレッジメント（ＡＣＫ）／ネガティブ・アクノレッジメント（ＮＡＣＫ）ビットを備える、と、
第２のタイプの前記制御情報のアップリンクＭＩＭＯ伝送をスケジューリングするための、前記複数の層からの唯一の層を選択する手段、ここにおいて、前記第２のタイプの制御情報は、チャネル状態情報（ＣＳＩ）を備える、と、
１又は複数のアンテナを介して、前記選択された複数の層および前記選択された唯一の層上で、前記制御情報の少なくとも一部を送信する手段と
を備える装置。
【請求項２５】
それぞれの選択された層での伝送のためにスケジューリングされた制御情報に、それぞれのオフセットを適用する手段を更に備える請求項２４記載の装置。
【請求項２６】
前記制御情報は、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットを備え、
前記選択する手段は、
前記１又は複数のＡＣＫ／ＮＡＣＫビットを一緒に符号化する手段、および、前記１又は複数のＡＣＫ／ＮＡＣＫビットをスケジューリングするための、前記１又は複数のアップリンク多層伝送に関連付けられた１又は複数の層を選択する手段か、あるいは、
前記１又は複数のＡＣＫ／ＮＡＣＫビットを複数のグループに分ける手段、および、前記ＡＣＫ／ＮＡＣＫビットのそれぞれのグループをスケジューリングするための、前記１又は複数のアップリンク多層伝送に関連付けられた複数の層を選択する手段か
のうちの少なくとも１つを備える請求項２４記載の装置。
【請求項２７】
前記制御情報のためにそれぞれ選択された１又は複数の層での、前記制御情報の少なくとも一部の伝送のための、変調および符号化スキーム（ＭＣＳ）を選択する手段を更に備える請求項２４記載の装置。
【請求項２８】
前記１又は複数のアップリンク多層伝送に関連付けられたそれぞれの層は、空間層あるいはコードワードのうちの少なくとも１つに対応する請求項２４記載の装置。
【請求項２９】
１又は複数のアップリンク多層伝送において送信される制御情報をコンピュータに識別させるコードと、
アップリンク多入力多出力（ＭＩＭＯ）伝送のために指定された複数の層に関する情報をコンピュータに取得させるコードと、
第１のタイプの前記制御情報をスケジューリングするための、前記複数の層をコンピュータに選択させるコード、ここにおいて、前記第１のタイプの制御情報は、１又は複数のダウンリンク伝送に対応する１又は複数のアクノレッジメント（ＡＣＫ）／ネガティブ・アクノレッジメント（ＮＡＣＫ）ビットを備える、と、
第２のタイプの前記制御情報をスケジューリングするための、前記複数の層のうちの唯一の層をコンピュータに選択させるコード、ここにおいて、第２のタイプの制御情報は、チャネル状態情報（ＣＳＩ）を備える、と、
１又は複数のアンテナを介して、前記選択された複数の層および前記選択された唯一の層上で、前記制御情報の少なくとも一部をコンピュータに送信させるコードと
を備えるコンピュータ・プログラム。
【請求項３０】
コンピュータに、それぞれの選択された層での伝送のためにスケジューリングされた制御情報に、それぞれのオフセットを適用させるコードを更に備える請求項２９記載のコンピュータ・プログラム。
【請求項３１】
前記制御情報は、異なるサブフレームあるいは異なるキャリアのうちの少なくとも１つによる、１又は複数のダウンリンク伝送に対応する１又は複数のアクノレッジメント（ＡＣＫ）／ネガティブ・アクノレッジメント（ＮＡＣＫ）ビットを備え、
前記コンピュータに選択させるコードは、
コンピュータに、前記１又は複数のＡＣＫ／ＮＡＣＫビットを一緒に符号化させるコード、および、コンピュータに、前記１又は複数のＡＣＫ／ＮＡＣＫビットをスケジューリングするための、前記１又は複数のアップリンク多層伝送に関連付けられた１又は複数の層を選択させるためコードか、あるいは
コンピュータに、前記１又は複数のＡＣＫ／ＮＡＣＫビットを複数のグループに分けさせるコード、および、コンピュータに、前記ＡＣＫ／ＮＡＣＫビットのそれぞれのグループをスケジューリングするための、前記１又は複数のアップリンク多層伝送に関連付けられた複数の層を選択させるコードか
のうちの少なくとも１つを備える請求項２９記載のコンピュータ・プログラム。
【請求項３２】
前記制御情報のためにそれぞれ選択された１又は複数の層での、前記制御情報の少なくとも一部の伝送のための、変調および符号化スキーム（ＭＣＳ）を、コンピュータに選択させるコードを更に備える請求項２９記載のコンピュータ・プログラム。
【請求項３３】
前記１又は複数のアップリンク多層伝送に関連付けられた前記それぞれの層は、空間層あるいはコードワードのうちの少なくとも１つに対応する請求項２９記載のコンピュータ・プログラム。
【請求項３４】
複数の層にわたってネットワーク・デバイスによって提供された伝送を識別することと、
制御情報がマッピングされた、前記伝送に対応するそれぞれの層を決定することであって、
第１のタイプの制御情報がマッピングされた、前記伝送に対応する前記複数の層を決定すること、ここにおいて、前記第１のタイプの制御情報は、１又は複数のダウンリンク伝送に対応する１又は複数のアクノレッジメント（ＡＣＫ）／ネガティブ・アクノレッジメント（ＮＡＣＫ）ビットを備える、と、
第２のタイプの制御情報がマッピングされた、前記伝送に対応する前記複数の層のうちの唯一の層を決定すること、ここにおいて、前記第２のタイプの制御情報は、チャネル状態情報（ＣＳＩ）を備える、と、
を備える、決定することと、
前記制御情報がマッピングされたと決定されたそれぞれの層で、前記制御情報の少なくとも一部を受信することと
を備える方法。
【請求項３５】
前記受信することは、
前記制御情報がマッピングされた前記それぞれの層で前記制御情報に適用されたオフセットを識別することと、
それに適用されたオフセットに従って、前記制御情報の少なくとも一部を受信することと
を備える請求項３４記載の方法。
【請求項３６】
前記オフセットを識別することは、前記伝送に対応するそれぞれの層にマッピングされた制御情報に適用された、層に依存しないオフセットを識別することを備える請求項３５記載の方法。
【請求項３７】
前記オフセットを識別することは、前記伝送に対応するそれぞれの層にマッピングされた制御情報に適用された、それぞれの層毎のオフセットを識別することを備える請求項３５記載の方法。
【請求項３８】
前記制御情報がマッピングされた層の数または前記制御情報がマッピングされた前記層の特性のうちの少なくとも１つに応じて、前記それぞれの層毎のオフセットを決定することを更に備える請求項３７記載の方法。
【請求項３９】
前記制御情報は、異なるサブフレームあるいは異なるキャリアのうちの少なくとも１つによる、１又は複数のダウンリンク伝送に対応する１又は複数のＡＣＫ／ＮＡＣＫビットを備え、
前記決定することは、前記ＡＣＫ／ＮＡＣＫビットがマッピングされる１又は複数の層を決定することを備える請求項３４記載の方法。
【請求項４０】
前記伝送において提供された前記制御情報の少なくとも一部に適用された変調および符号化スキーム（ＭＣＳ）を識別することを更に備える請求項３４記載の方法。
【請求項４１】
前記制御情報は、アクノレッジメント（ＡＣＫ）／ネガティブ・アクノレッジメント（ＮＡＣＫ）情報あるいはランク情報のうちの少なくとも１つを含み、
前記識別することは、二相位相変調（ＢＰＳＫ）または四相位相変調（ＱＰＳＫ）に基づいて構築された、前記ＡＣＫ／ＮＡＣＫ情報および前記ランク情報に関連付けられた変調コンステレーションおよび前記ＡＣＫ／ＮＡＣＫ情報に関連付けられた変調コンステレーションと、前記ランク情報に関連付けられた変調コンステレーションとの間のユークリッド距離が実質的に最大になるような、関連付けられた符号化およびスクランブリングとを識別することを備える請求項４０記載の方法。
【請求項４２】
前記制御情報は、チャネル品質情報を含み、
前記ＭＣＳを識別することは、前記チャネル品質情報およびデータのための前記伝送内で利用される共通ＭＣＳを識別することを備える請求項４０記載の方法。
【請求項４３】
前記それぞれの層は、空間層あるいはコードワードのうちの少なくとも１つに対応する請求項３４記載の方法。
【請求項４４】
複数の層にわたってネットワーク・デバイスによって提供された伝送に関するデータを格納するメモリと、
制御情報がマッピングされた、前記伝送に対応するそれぞれの層を決定することであって、
第１のタイプの制御情報がマッピングされた、前記伝送に対応する前記複数の層を決定すること、ここにおいて、前記第１のタイプの制御情報は、１又は複数のダウンリンク伝送に対応する１又は複数のアクノレッジメント（ＡＣＫ）／ネガティブ・アクノレッジメント（ＮＡＣＫ）ビットを備える、と、
第２のタイプの制御情報がマッピングされた、前記伝送に対応する前記複数の層のうちの唯一の層を決定すること、ここにおいて、前記第２のタイプの制御情報は、チャネル状態情報（ＣＳＩ）を備える、と、
に少なくとも部分的によって、決定することと、
を行うように構成されたプロセッサと、
前記制御情報がマッピングされたと決定されたそれぞれの層で、前記制御情報の少なくとも一部を受信するための受信機と
を備える無線通信装置。
【請求項４５】
前記プロセッサは更に、前記制御情報がマッピングされた前記それぞれの層で前記制御情報に適用されたオフセットを識別し、それに適用された前記オフセットに従って、前記制御情報の少なくとも一部を受信するように構成される請求項４４記載の無線通信装置。
【請求項４６】
前記プロセッサは更に、前記伝送に対応するそれぞれの層にマッピングされた制御情報に適用された、層に依存しないオフセットを識別するように構成される請求項４５記載の無線通信装置。
【請求項４７】
前記プロセッサは更に、前記伝送に対応するそれぞれの層にマッピングされた制御情報に適用された、それぞれの層毎のオフセットを識別するように構成される請求項４５記載の無線通信装置。
【請求項４８】
前記プロセッサは更に、前記伝送において提供された前記制御情報の少なくとも一部に適用された変調および符号化スキーム（ＭＣＳ）を識別するように構成される請求項４４記載の無線通信装置。
【請求項４９】
前記メモリは更に、アクノレッジメント（ＡＣＫ）／ネガティブ・アクノレッジメント（ＮＡＣＫ）情報あるいはランク情報のうちの少なくとも１つに関するデータを格納し、
前記プロセッサは更に、二相位相変調（ＢＰＳＫ）または四相位相変調（ＱＰＳＫ）に基づいて構築された、前記ＡＣＫ／ＮＡＣＫ情報および前記ランク情報に関連付けられた変調コンステレーションと、前記ＡＣＫ／ＮＡＣＫ情報に関連付けられた変調コンステレーションと前記ランク情報に関連付けられた変調コンステレーションとの間のユークリッド距離が実質的に最大になるような、関連付けられた符号化およびスクランブリングとを識別する
ように構成される請求項４８記載の無線通信装置。
【請求項５０】
前記メモリは更に、チャネル品質情報に関するデータを格納し、
前記プロセッサは更に、前記チャネル品質情報およびデータのための、前記伝送内で利用される共通ＭＣＳを識別する
ように構成される請求項４８記載の無線通信装置。
【請求項５１】
前記それぞれの層は、空間層あるいはコードワードのうちの少なくとも１つに対応する請求項４４記載の無線通信装置。
【請求項５２】
複数の層にわたってネットワーク・デバイスによって提供されるアップリンク多層伝送を識別する手段と、
制御情報がマッピングされた、前記伝送に対応するそれぞれの層を決定する手段であって、
第１のタイプの制御情報がマッピングされた、前記伝送に対応する前記複数の層を決定すること、ここにおいて、前記第１のタイプの制御情報は、１又は複数のダウンリンク伝送に対応する１又は複数のアクノレッジメント（ＡＣＫ）／ネガティブ・アクノレッジメント（ＮＡＣＫ）ビットを備える、と、
第２のタイプの制御情報がマッピングされた、前記伝送に対応する前記複数の層のうちの唯一の層を決定すること、ここにおいて、前記第２のタイプの制御情報は、チャネル状態情報（ＣＳＩ）を備える、と
を備える手段と、
前記アップリンク多層伝送における、１又は複数の決定された層に含まれる制御シグナリングの少なくとも一部を処理する手段と
を備える装置。
【請求項５３】
前記アップリンク多層伝送における、１又は複数の決定された層に含まれる制御シグナリングに適用されたオフセットを識別する手段を更に備え、前記処理する手段は、それに適用されたオフセットに従って、前記アップリンク多層伝送における１又は複数の決定された層に含まれる前記制御シグナリングの少なくとも一部を処理する手段を備える請求項５２記載の装置。
【請求項５４】
前記オフセットを識別する手段は、前記アップリンク多層伝送において、それぞれの層にマッピングされたそれぞれの制御シグナリングに適用された、層に依存しないオフセットを識別する手段か、前記アップリンク多層伝送において、それぞれの層にマッピングされた制御シグナリングに適用された、それぞれの層毎のオフセットを識別する手段かのうちの少なくとも１つを備える請求項５３記載の装置。
【請求項５５】
前記アップリンク多層伝送において提供された制御シグナリングの少なくとも一部に適用された変調および符号化スキーム（ＭＣＳ）を識別する手段を更に備える請求項５２記載の装置。
【請求項５６】
前記アップリンク多層伝送におけるそれぞれの層は、空間層あるいはコードワードのうちの少なくとも１つに対応する請求項５２記載の装置。
【請求項５７】
複数の層にわたってネットワーク・デバイスによって提供されるアップリンク多層伝送をコンピュータに識別させるコードと、
制御情報がマッピングされた、前記伝送に対応するそれぞれの層をコンピュータに決定させるコードであって、
第１のタイプの前記制御情報がマッピングされた、前記アップリンク多層伝送における前記複数の層を決定すること、ここにおいて、前記第１のタイプの制御情報は、１又は複数のダウンリンク伝送に対応する１又は複数のアクノレッジメント（ＡＣＫ）／ネガティブ・アクノレッジメント（ＮＡＣＫ）ビットを備える、と、
第２のタイプの前記制御情報がマッピングされた、前記アップリンク多層伝送における前記複数の層のうちの唯一の層を決定すること、ここにおいて、前記第２のタイプの制御情報は、チャネル状態情報（ＣＳＩ）を備える、と
を備える、コードと、
前記アップリンク多層伝送における、１又は複数の決定された層に含まれる制御シグナリングの少なくとも一部をコンピュータに処理させるコードと、
を備えるコンピュータ・プログラム。
【請求項５８】
前記アップリンク多層伝送における、１又は複数の決定された層に含まれる制御シグナリングに適用されたオフセットを、コンピュータに識別させるコードを更に備え、前記コンピュータに処理させるコードは、それに適用された前記オフセットに従って、前記アップリンク多層伝送における１又は複数の決定された層に含まれる、前記制御シグナリングの少なくとも一部をコンピュータに処理させるコードを備える請求項５７記載のコンピュータ・プログラム。
【請求項５９】
前記アップリンク多層伝送において提供された制御シグナリングの少なくとも一部に適用された変調および符号化スキーム（ＭＣＳ）をコンピュータに識別させるコードを更に備える請求項５７記載のコンピュータ・プログラム。
【請求項６０】
前記アップリンク多層伝送におけるそれぞれの層は、空間層あるいはコードワードのうちの少なくとも１つに対応する請求項５７記載のコンピュータ・プログラム。
【請求項６１】
前記選択することは更に、
前記複数の層におけるそれぞれの層によって達成可能なそれぞれの品質レベルおよび前記制御情報に関連する品質しきい値を識別することと、
前記複数の層におけるそれぞれの層によって達成可能な前記それぞれの品質レベルおよび前記制御情報に関連する前記品質しきい値に従って、前記複数の層における全ての層よりも少ない層のサブセットを選択することと、
を備える、請求項１記載の方法。
【外国語明細書】
2017005703000001.pdf